(57)【要約】  直接通信を行う通信端末間に対して、移動通信ネットワークからＱｏＳ更新手続きを行う通信制御方法等を提供すること。  移動通信事業者は移動通信ネットワークから直接通信を行う通信端末に対して、ＱｏＳ更新手続きを行うことにより、効率的に移動通信ネットワークを活用することができる。
2015068732.tif 000002
【特許請求の範囲】
【請求項１】
ＰＧＷ（Packet Data Network Gateway）と、制御装置と、基地局装置と、リレー端末装置と、前記リレー端末装置の近隣に位置する端末装置とを含み、前記基地局装置と前記リレー端末装置間において通信路が確立され、前記リレー端末装置と前記端末装置間において直接通信路が確立されている移動通信システムにおいて、
前記ＰＧＷは、通信品質の更新を、前記基地局装置と前記リレー端末装置間の前記通信路に対する通信品質の更新を要求する場合、直接通信を示す情報を含めず、前記リレー端末装置と前記端末装置間の前記直接通信路に対する通信品質の更新を要求する場合、直接通信を示す情報を含め、通信品質の更新を要求する第一の要求メッセージを送信し、
前記制御装置は、前記第一の要求メッセージを受信し、
前記要求メッセージに直接通信を示す情報が含まれていない場合には、前記基地局装置と前記リレー端末装置間の前記通信路に対する通信品質の更新を要求されていることを検出し、前記基地局装置へ直接通信を示す情報を含まない通信品質の更新を要求する第二の要求メッセージを送信し、
前記第一の要求メッセージに直接通信を示す情報を含まれている場合には、前記リレー端末装置と前記端末装置間の前記直接通信路に対する通信品質の更新を要求されていることを検出し、前記基地局装置へ直接通信を示す情報を含む通信品質の更新を要求する第二の要求メッセージを送信し、
前記基地局装置は、前記第二の要求メッセージを受信し、
前記第二の要求メッセージに直接通信を示す情報が含まれていない場合には、前記基地局装置と前記リレー端末装置間の前記通信路に対する通信品質の更新を要求されていることを検出し、前記リレー端末装置へ直接通信を示す情報を含まない通信品質の更新を要求する第三の要求メッセージを送信し、
前記第二の要求メッセージに直接通信を示す情報を含まれている場合には、前記リレー端末装置と前記端末装置間の前記直接通信路に対する通信品質の更新を要求されていることを検出し、前記リレー端末装置へ直接通信を示す情報と通信路のコネクションを選択するための情報を含む通信品質の更新を要求する第三の要求メッセージを送信し、
前記リレー端末装置は、前記第三の要求メッセージ受信し、
前記第三の要求メッセージに直接通信を示す情報が含まれていない場合には、前記基地局装置と前記リレー端末装置間の前記通信路に対する通信品質の更新を要求されていることを検出し、前記通信路に対する通信品質の更新を、前記基地局装置と行い、
前記第三の要求メッセージに直接通信を示す情報を含まれている場合には、前記リレー端末装置と前記端末装置間の前記直接通信路に対する通信品質の更新を要求されていることを検出し、前記端末装置へ直接通信路におけるコネクションを識別する識別子と通信品質に関する情報を含む通信品質の更新を要求する第四の要求メッセージを送信する、
ことを特徴とする移動通信システム。
【請求項２】
ＰＧＷ（Packet Data Network Gateway）と、制御装置と、基地局装置と、リレー端末装置と、前記リレー端末装置の近隣に位置する端末装置とを含み、リレー端末装置と端末装置間において直接通信路が確立されている移動通信システムにおけるリレー端末装置であって、
前記リレー端末装置は、基地局装置から前記通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、前記通信路に対する通信品質の更新を、前記基地局装置と行い、
前記要求メッセージに直接通信を示す情報を含まれている場合には、前記リレー端末装置と前記端末装置間の前記直接通信路に対する通信品質の更新を要求されていることを検出し、前記端末装置へ通信品質の更新を、直接通信路におけるコネクションを識別する識別子と通信品質に関する情報を含めて、要求する要求メッセージを送信することを特徴とするリレー端末装置。
【請求項３】
ＰＧＷ（Packet Data Network Gateway）と、制御装置と、基地局装置と、リレー端末装置と、前記リレー端末装置の近隣に位置する端末装置とを含み、リレー端末装置と端末装置間において直接通信路が確立されている移動通信システムにおける端末装置であって、
前記リレー端末装置から直接通信路におけるコネクションを識別する識別子と通信品質を示す情報を含む通信品質の更新を要求する要求メッセージを受信し、
前記要求メッセージに基づいて前記端末装置との前記直接通信路に対する通信品質の更新を行うことを特徴とする端末装置。
【請求項４】
ＰＧＷ（Packet Data Network Gateway）と、制御装置と、基地局装置と、リレー端末装置と、前記リレー端末装置の近隣に位置する端末装置とを含み、リレー端末装置と端末装置間において直接通信路が確立されている移動通信システムにおける基地局装置であって、
前記基地局装置は、前記制御装置から通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、通信品質の更新を、直接通信を示す情報を含めないことで、前記リレー端末装置へ通信品質の更新を要求する要求メッセージを送信し、
前記要求メッセージに直接通信を示す情報を含まれている場合には、
前記リレー端末装置と前記端末装置間の前記直接通信路に対する通信品質の更新を要求されていることを検出し、通信品質の更新を、直接通信を示す情報と通信品質を選択するための情報を含む、前記リレー端末装置へ直接通信を示す情報と直接通信路におけるコネクションを識別する識別子と通信路のコネクションを選択するための情報を含む通信品質の更新を要求する要求メッセージを送信することを特徴とする基地局装置。
【請求項５】
ＰＧＷ（Packet Data Network Gateway）と、制御装置と、基地局装置と、リレー端末装置と、前記リレー端末装置の近隣に位置する端末装置とを含み、リレー端末装置と端末装置間において直接通信路が確立されている移動通信システムにおける制御装置であって、
前記制御装置は、前記ＰＧＷから通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、前記基地局装置へ直接通信を示す情報を含めずに通信品質の更新を要求する要求メッセージを送信し、
前記要求メッセージに直接通信を示す情報を含まれている場合には、
前記リレー端末装置と前記端末装置間の前記直接通信路に対する通信品質の更新を要求されていることを検出し、通信品質の更新を、直接通信を示す情報を含む通信品質の更新を前記基地局装置へ要求する要求メッセージを送信することを特徴とする制御装置。
【請求項６】
リレー端末装置が、リレー端末装置と、リレー端末装置の近隣に位置する端末装置の通信品質を更新するための通信制御方法であって、
前記リレー端末装置は、基地局装置から通信品質の更新を要求する要求メッセージを受信するステップと、前記要求メッセージに直接通信を示す情報が含まれていない場合には、前記基地局装置と前記リレー端末装置間の通信路に対する通信品質の更新を要求されていることを検出し、前記通信路に対する通信品質の更新を、前記基地局装置と行い、
前記要求メッセージに直接通信を示す情報を含まれている場合には、前記リレー端末装置と前記端末装置間の直接通信路に対する通信品質の更新を要求されていることを検出し、直接通信を示す情報と直接通信路におけるコネクションを識別する識別子と通信路のコネクションを選択するための情報を含む前記端末装置へ通信品質の更新を要求する要求メッセージを送信するステップとを備えることを特徴とする通信制御方法。
【請求項７】
端末装置が、端末装置と、端末装置の近隣に位置するリレー端末装置の通信品質を更新するための通信制御方法であって、
前記リレー端末装置から直接通信路におけるコネクションを識別する識別子と通信品質を示す情報を含む通信品質の更新を要求する要求メッセージを受信するステップと、
前記要求メッセージに基づいて前記端末装置との直接通信路に対する通信品質の更新行うステップとを備えることを特徴とする通信制御方法。
【請求項８】
基地局装置が、端末装置と、端末装置の近隣に位置するリレー端末装置の通信品質を更新するための通信制御方法であって、
前記基地局装置は、制御装置から通信品質の更新を要求する要求メッセージを受信するステップと、前記要求メッセージに、直接通信を示す情報が含まれていない場合には、前記基地局装置と前記リレー端末装置間の通信路に対する通信品質の更新を要求されていることを検出し、通信品質の更新を、直接通信を示す情報を含めないことで、前記リレー端末装置へ通信品質の更新を要求する要求メッセージを送信し、
前記要求メッセージに直接通信を示す情報を含まれている場合には、
前記リレー端末装置と前記端末装置間の直接通信路に対する通信品質の更新を要求されていることを検出し、前記リレー端末装置へ直接通信を示す情報と直接通信路におけるコネクションを識別する識別子と通信路のコネクションを選択するための情報を含む通信品質の更新を要求する要求メッセージを送信するステップとを備えることを特徴とする通信制御方法。
【請求項９】
制御装置が、端末装置と、端末装置の近隣に位置するリレー端末装置の通信品質を更新するための通信制御方法であって、前記制御装置は、ＰＧＷから通信品質の更新を要求する要求メッセージを受信するステップと、
前記要求メッセージに直接通信を示す情報が含まれていない場合には、基地局装置と前記リレー端末装置間の通信路に対する通信品質の更新を要求されていることを検出し、前記基地局装置へ直接通信を示す情報を含めずに通信品質の更新を要求する要求メッセージを送信し、
前記要求メッセージに直接通信を示す情報を含まれている場合には、
前記リレー端末装置と前記端末装置間の直接通信路に対する通信品質の更新を要求されていることを検出し、通信品質の更新を、直接通信を示す情報を含む通信品質の更新を前記基地局装置へ要求する要求メッセージを送信するステップとを備えることを特徴とする通信制御方法。
【請求項１０】
ＰＧＷ（Packet Data Network Gateway）と、制御装置と、基地局装置と、リレー端末装置と、前記リレー端末装置の近隣に位置する端末装置とを含み、前記基地局装置と前記リレー端末装置間において通信路が確立され、前記リレー端末装置と前記端末装置間において直接通信路が確立されている移動通信システムにおいて、
前記ＰＧＷは、通信品質の更新を、前記基地局装置と前記リレー端末装置間の前記通信路に対する通信品質の更新を要求する場合直接通信を示す情報を含めず、前記リレー端末装置と前記端末装置間の前記直接通信路に対する通信品質の更新を要求する場合、直接通信を示す情報を含め、通信品質の更新を要求する第一の要求メッセージを送信し、
前記制御装置は、前記第一の要求メッセージを受信し、
前記要求メッセージに直接通信を示す情報を含まれている場合には、
前記リレー端末装置と前記端末装置間の前記直接通信路に対する通信品質の更新を要求されていることを検出し、前記リレー端末装置へ直接通信を示す情報と直接通信路におけるコネクションを識別する識別子と通信品質に関する情報と通信路のコネクションを選択するための情報を含む通信品質の更新を要求する第二の要求メッセージを送信し、
前記リレー端末装置は、前記第二の要求メッセージを受信し、前記第二の要求メッセージに直接通信を示す情報が含まれていない場合には、前記基地局装置と前記リレー端末装置間の前記通信路に対する通信品質の更新を要求されていることを検出し、前記通信路に対する通信品質の更新を、前記基地局装置と行い、
前記第二の要求メッセージに直接通信を示す情報を含まれている場合には、前記リレー端末装置と前記端末装置間の前記直接通信路に対する通信品質の更新を要求されていることを検出し、前記端末装置へ直接通信路におけるコネクションを識別する識別子と通信品質に関する情報を含む通信品質の更新を要求する要求メッセージを送信することを特徴とする移動通信システム。
【請求項１１】
ＰＧＷ（Packet Data Network Gateway）と、制御装置と、基地局装置と、リレー端末装置と、前記リレー端末装置の近隣に位置する端末装置とを含み、リレー端末装置と端末装置間において直接通信路が確立されている移動通信システムにおけるリレー端末装置であって、
前記リレー端末装置は、前記制御装置から通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、前記通信路に対する通信品質の更新を、前記基地局装置と行い、
前記要求メッセージに直接通信を示す情報を含まれている場合には、前記リレー端末装置と前記端末装置間の前記直接通信路に対する通信品質の更新を要求されていることを検出し、前記端末装置へ通信品質の更新を、直接通信路におけるコネクションを識別する識別子と通信品質に関する情報を含めて、要求する要求メッセージを送信することを特徴とするリレー端末装置。
【請求項１２】
ＰＧＷ（Packet Data Network Gateway）と、制御装置と、基地局装置と、リレー端末装置と、前記リレー端末装置の近隣に位置する端末装置とを含み、リレー端末装置と端末装置間において直接通信路が確立されている移動通信システムにおける制御装置であって、
前記制御装置は、前記ＰＧＷから通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、通信品質の更新を、直接通信を示す情報を含めずに、前記リレー端末装置へ通信品質の更新を要求する要求メッセージを送信し、
前記要求メッセージに直接通信を示す情報を含まれている場合には、
前記リレー端末装置と前記端末装置間の前記直接通信路に対する通信品質の更新を要求されていることを検出し、直接通信を示す情報を含む通信品質の更新を前記端末装置へ要求する要求メッセージを送信することを特徴とする制御装置。
【請求項１３】
リレー端末装置が、リレー端末装置と、リレー端末装置の近隣に位置する端末装置の通信品質を更新するための通信制御方法であって、
前記リレー端末装置は、制御装置から通信品質の更新を要求する要求メッセージを受信するステップと、前記要求メッセージに直接通信を示す情報が含まれていない場合には、基地局装置と前記リレー端末装置間の通信路に対する通信品質の更新を要求されていることを検出し、前記通信路に対する通信品質の更新を、前記基地局装置と行い、
前記要求メッセージに直接通信を示す情報を含まれている場合には、前記リレー端末装置と前記端末装置間の直接通信路に対する通信品質の更新を要求されていることを検出し、直接通信路におけるコネクションを識別する識別子と通信品質に関する情報を含む前記端末装置へ通信品質の更新を要求する要求メッセージを送信するステップとを備えることを特徴とする通信制御方法。
【請求項１４】
制御装置が、端末装置と、端末装置の近隣に位置するリレー端末装置の通信品質を更新するための通信制御方法であって、前記制御装置は、ＰＧＷから通信品質の更新を要求する要求メッセージを受信するステップと、
前記要求メッセージに直接通信を示す情報が含まれていない場合には、基地局装置と前記リレー端末装置間の通信路に対する通信品質の更新を要求されていることを検出し、通信品質の更新を、直接通信を示す情報を含めずに、前記リレー端末装置へ通信品質の更新を要求する要求メッセージを送信し、
前記要求メッセージに直接通信を示す情報を含まれている場合には、
前記リレー端末装置と前記端末装置間の直接通信路に対する通信品質の更新を要求されていることを検出し、前記基地局装置へ直接通信を示す情報を含む通信品質の更新を要求する要求メッセージを送信するステップとを備えることを特徴とする通信制御方法。
【請求項１５】
ＨＳＳと、制御装置と、基地局装置と、リレー端末装置と、前記リレー端末装置の近隣に位置する端末装置とを含み、前記基地局装置と前記リレー端末装置間において通信路が確立され、前記リレー端末装置と前記端末装置間において直接通信路が確立されている移動通信システムにおいて、
前記ＨＳＳは、契約者データの挿入を通知する通知メッセージを送信し、
前記制御装置は、前記通知メッセージを受信し、前記通知メッセージに直接通信を示す情報が含まれていない場合には、前記基地局装置と前記リレー端末装置間の前記通信路に対する通信品質の更新を要求されていることを検出し、前記基地局装置へ直接通信を示す情報を含まない通信品質の更新を要求する第一の要求メッセージを送信し、
前記通知メッセージに直接通信を示す情報を含まれている場合には、
前記リレー端末装置と前記端末装置間の前記直接通信路に対する通信品質の更新を要求されていることを検出し、前記基地局装置へ直接通信を示す情報を含む通信品質の更新を要求する第一の要求メッセージを送信し、
前記基地局装置は、前記第一の要求メッセージを受信し、
前記第一の要求メッセージに直接通信を示す情報が含まれていない場合には、
前記基地局装置と前記リレー端末装置間の前記通信路に対する通信品質の更新を要求されていることを検出し、前記リレー端末装置へ直接通信を示す情報を含まない通信品質の更新を要求する第二の要求メッセージを送信し、
前記第一の要求メッセージに直接通信を示す情報を含まれている場合には、
前記リレー端末装置と前記端末装置間の前記直接通信路に対する通信品質の更新を要求されていることを検出し、前記リレー端末装置へ直接通信を示す情報と直接通信路におけるコネクションを識別する識別子と通信路のコネクションを選択するための情報を含む通信品質の更新を要求する第二の要求メッセージを送信し、
前記リレー端末装置は、前記第二の要求メッセージを受信し、前記第二の要求メッセージに直接通信を示す情報が含まれていない場合には、前記基地局装置と前記リレー端末装置間の前記通信路に対する通信品質の更新を要求されていることを検出し、前記通信路に対する通信品質の更新を、前記基地局装置と行い、
前記第二の要求メッセージに直接通信を示す情報を含まれている場合には、前記リレー端末装置と前記端末装置間の前記直接通信路に対する通信品質の更新を要求されていることを検出し、前記端末装置へ直接通信路におけるコネクションを識別する識別子と通信品質に関する情報を含む通信品質の更新を要求する第三の要求メッセージを送信することを特徴とする移動通信システム。
【請求項１６】
ＨＳＳと、制御装置と、基地局装置と、リレー端末装置と、前記リレー端末装置の近隣に位置する端末装置とを含み、リレー端末装置と端末装置間において直接通信路が確立されている移動通信システムにおける制御装置であって、
前記制御装置は、前記ＨＳＳから通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、前記基地局装置へ直接通信を示す情報を含めずに通信品質の更新を要求する要求メッセージを送信し、
前記要求メッセージに直接通信を示す情報が含まれている場合には、
前記リレー端末装置と前記端末装置間の前記直接通信路に対する通信品質の更新を要求されていることを検出し、通信品質の更新を、直接通信を示す情報を含む通信品質の更新を前記基地局装置へ要求する要求メッセージを送信することを特徴とする制御装置。
【請求項１７】
制御装置が、端末装置と、端末装置の近隣に位置するリレー端末装置の通信品質を更新するための通信制御方法であって、前記制御装置は、ＨＳＳから通信品質の更新を要求する要求メッセージを受信するステップと、
前記要求メッセージに直接通信を示す情報が含まれていない場合には、基地局装置と前記リレー端末装置間の通信路に対する通信品質の更新を要求されていることを検出し、通信品質の更新を、直接通信を示す情報を含めずに、前記リレー端末装置へ通信品質の更新を要求する要求メッセージを送信し、
前記要求メッセージに直接通信を示す情報を含まれている場合には、
前記リレー端末装置と前記端末装置間の直接通信路に対する通信品質の更新を要求されていることを検出し、前記基地局装置へ直接通信を示す情報を含む通信品質の更新を要求する要求メッセージを送信するステップとを備えることを特徴とする通信制御方法。
【請求項１８】
直接通信サービスを提供するためのサーバ装置と、制御装置と、基地局装置と、リレー端末装置と、前記リレー端末装置の近隣に位置する端末装置とを含み、前記基地局装置と前記リレー端末装置間において通信路が確立され、前記リレー端末装置と前記端末装置間において直接通信路が確立されている移動通信システムにおいて、
前記サーバ装置は、通信品質の更新を要求する第一の要求メッセージを送信し、
前記制御装置は、前記第一の要求メッセージを受信し、
前記リレー端末装置と前記端末装置間の前記直接通信路に対する通信品質の更新を要求されていることを検出し、前記基地局装置へ直接通信を示す情報を含む通信品質の更新を要求する第二の要求メッセージを送信し、
前記基地局装置は、前記第二の要求メッセージを受信し、
前記第二の要求メッセージに直接通信を示す情報が含まれていない場合には、
前記基地局装置と前記リレー端末装置間の前記通信路に対する通信品質の更新を要求されていることを検出し、前記リレー端末装置へ直接通信を示す情報を含まない通信品質の更新を要求する第三の要求メッセージを送信し、
前記第二の要求メッセージに直接通信を示す情報を含まれている場合には、
前記リレー端末装置と前記端末装置間の前記直接通信路に対する通信品質の更新を要求されていることを検出し、前記リレー端末装置へ直接通信を示す情報と通信路のコネクションを選択するための情報を含む通信品質の更新を要求する第三の要求メッセージを送信し、
前記リレー端末装置は、前記第三の要求メッセージを受信し、前記第三の要求メッセージに直接通信を示す情報が含まれていない場合には、前記基地局装置と前記リレー端末装置間の前記通信路に対する通信品質の更新を要求されていることを検出し、前記通信路に対する通信品質の更新を、前記基地局装置と行い、
前記第三の要求メッセージに直接通信を示す情報を含まれている場合には、前記リレー端末装置と前記端末装置間の前記直接通信路に対する通信品質の更新を要求されていることを検出し、前記端末装置へ直接通信路におけるコネクションを識別する識別子と通信品質に関する情報を含む通信品質の更新を要求する要求メッセージを送信することを特徴とする移動通信システム。
【請求項１９】
直接通信サービスを提供するためのサーバ装置と、制御装置と、基地局装置と、リレー端末装置と、前記リレー端末装置の近隣に位置する端末装置とを含み、リレー端末装置と端末装置間において直接通信路が確立されている移動通信システムにおける制御装置であって、
前記制御装置は、前記サーバ装置から通信品質の更新を要求する要求メッセージを受信し、
前記リレー端末装置と前記端末装置間の前記直接通信路に対する通信品質の更新を要求されていることを検出し、通信品質の更新を、直接通信を示す情報を含む通信品質の更新を前記基地局装置へ要求する要求メッセージを送信することを特徴とする制御装置。
【請求項２０】
直接通信サービスを提供するためのサーバ装置と、制御装置と、基地局装置と、リレー端末装置と、前記リレー端末装置の近隣に位置する端末装置とを含み、リレー端末装置と端末装置間において直接通信路が確立されている移動通信システムにおけるサーバ装置であって、
前記サーバ装置は、通信品質を更新するために、前記制御装置から通信品質の更新を要求する要求メッセージを送信することを特徴とするサーバ装置。
【請求項２１】
制御装置が、端末装置と、端末装置の近隣に位置するリレー端末装置の通信品質を更新するための通信制御方法であって、前記制御装置は、サーバ装置から通信品質の更新を要求する要求メッセージを受信するステップと、
前記要求メッセージに基づいて、前記リレー端末装置と前記端末装置間の直接通信路に対する通信品質の更新を要求されていることを検出し、基地局装置へ直接通信を示す情報を含む通信品質の更新を要求する要求メッセージを送信するステップとを備えることを特徴とする通信制御方法。
【請求項２２】
直接通信サービスを提供するためのサーバ装置が、端末装置と、端末装置の近隣に位置するリレー端末装置の通信品質を更新するための通信制御方法であって、前記サーバ装置は、通信品質の更新を必要とすることを検知するステップと、
制御装置へ直接通信を示す情報を含む通信品質の更新を要求する要求メッセージを送信するステップと、
を備えることを特徴とする通信制御方法。
【発明の詳細な説明】
【技術分野】
【０００１】
本発明は、通信制御方法と、リレー端末装置、端末装置と、基地局装置と、制御装置と、サーバ装置とを含む移動通信システムに関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めており、ＥＰＳに接続されるアクセスシステムとしてＬＴＥ（Long Term Evolution）だけでなく、無線ＬＡＮ（Wireless LAN、WLAN)について検討がなされている。【０００３】
さらに、３ＧＰＰでは、非特許文献2に記載されるように、ユーザ端末（User Equipment, ＵＥ）間が近隣にいることを検出したり、近隣ＵＥ間で直接通信路を確立して通信を行うなどの近隣サービス（Proximity-based Service、ＰｒｏＳｅ）について検討が行われている。ここで、ＰｒｏＳｅにおけるＵＥ間の直接通信路とは、従来のＵＥの通信路はＵＥが接続する基地局を介し、さらに基地局が接続するコアネットワークを介して確立されていたのに対し、近隣ＵＥ間で基地局やコアネットワークを介すことなく直接データの送受信を行うことができる通信路である。【０００４】
ＰｒｏＳｅでは、ＬＴＥ基地局やＷＬＡＮ基地局を含むアクセスネットワークや、アクセスネットワークが接続されているコアネットワークを介すことなく通信を行えることから、アクセスネットワークやコアネットワークのトラヒックの集中を回避（コンジェッション回避）のオフロード効果も期待することができる。【０００５】
ＰｒｏＳｅでは、ＵＥ間の直接通信路として２つの方式を利用することが検討されている。一つは、ＬＴＥアクセス技術を用いたＵＥ間の直接通信路を確立する方法（以下、ＬＴＥ  Ｄｉｒｅｃｔ）であり、もうひとつは、無線ＬＡＮ（Wireless LAN）アクセス技術を用いて直接通信路を確立する方法である。【０００６】
ＬＴＥ  Ｄｉｒｅｃｔでは、ＵＥは各移動通信事業者におけるＬＴＥシステムにおいて割り当てられた商用周波数を利用し、ＬＴＥの通信方式を利用してＵＥ間において直接データの送受信を行う。【０００７】
ＷＬＡＮ  Ｄｉｒｅｃｔでは、ＷＬＡＮにおいて割り当てられた非商用周波数を利用して、ＵＥ間において直接データの送受信を行う。【０００８】
また、ＰｒｏＳｅでは、ＵＥは、ＬＴＥ  Ｄｉｒｅｃｔまたは、ＷＬＡＮ  Ｄｉｒｅｃｔによりデータの送受信を行うために、通信対象ＵＥを探索し、近隣に通信対象ＵＥの存在を検知する必要性がサービス要求条件として挙げられている。【０００９】
さらに、ＵＥ間直接通信は移動通信事業者によって提供するサービスとするために、通信対象ＵＥを探索するにあたっては、移動通信事業者による承認が必要と規定されている。【００１０】
このように、ＰｒｏＳｅにおいては、近隣ＵＥの検出と、近隣ＵＥ間に直接通信路を確立して通信を行うこととを提供する通信サービスの規定を目的にしている。【００１１】
また、ＰｒｏＳｅでは、ｎｏｎ−Ｐｕｂｌｉｃ  ＳａｆｅｔｙとＰｕｂｌｉｃ  Ｓａｆｅｔｙが規定されている。ｎｏｎ−Ｐｕｂｌｉｃ  Ｓａｆｅｔｙでは、移動通信事業者による商用サービスが想定されており、ＵＥがＬＴＥ基地局に在圏している場合にのみ、利用可能である。一方、Ｐｕｂｌｉｃ  Ｓａｆｅｔｙでは、防災無線による利用が想定されており、ＵＥがＬＴＥ基地局に在圏している場合のみならず、ＬＴＥ基地局(ｅＮＢ)に在圏していない場合でも利用することができる。【００１２】
さらに、Ｐｕｂｌｉｃ  Ｓａｆｅｔｙに対応するＵＥは、ＰｒｏＳｅにおける直接通信に加え、リレー（Ｒｅｌａｙ）を行うことが検討されている。３ＧＰＰでは、ＵＥｔｏＵＥリレーとＵＥｔｏＮｅｔｗｏｒｋリレーについて検討されている。ＵＥｔｏＵＥリレーとは、通信元ＵＥから通信先ＵＥへデータの送受信を行うために直接通信によるデータの送受信はできない場合に、通信元ＵＥと通信先ＵＥの間にリレーＵＥが介在することでデータの送受信を行うことができるネットワーク形態である。ここで、リレーＵＥは通信元ＵＥからデータを受信し、通信先ＵＥへデータを送信する。【００１３】
ＵＥｔｏＮｅｔｗｏｒｋリレーとは、通信元ＵＥがネットワークのカバレッジ外に存在し移動通信ネットワークを介した通信を直接行うことができない場合に、移動通信ネットワークに在圏するリレーＵＥが間に介在することでカバレッジ外のＵＥが移動通信ネットワークとデータの送受信を行うことができるネットワーク形態である。ここで、リレーＵＥはカバレッジ外の通信元ＵＥからデータを受信し移動通信ネットワークへデータを送信する。また、リレーＵＥは移動通信ネットワークからデータを受信し、カバレッジ外の通信元ＵＥへデータを送信する。【００１４】
また、３ＧＰＰでは、従来のＵＥからｅＮＢ、ＥＰＳを経由する通信では、ＱｏＳ（Quality of Service）の確保を行っている。ＱｏＳとは、運ばれるデータの内容や契約者情報などと関連付けられる通信品質のことである。移動通信事業者は、ＱｏＳを確保することにより、サービス毎に必要な異なる通信品質を提供することができ、移動通信ネットワークを効率的に運用することができる。３ＧＰＰでは、ＰｒｏＳｅにおける直接通信においてもＱｏＳを確保することが検討されている。
【先行技術文献】
【非特許文献】
【００１５】
【非特許文献１】3GPP TS23.401 Technical Specification Group Services and System Aspects, General Packet Radio Service(GPRS) enhancements for Evolved Universal Terrestrial Radio Access Network(E-UTRAN) access
【非特許文献２】3GPP TR22.803 Technical Specification Group Services and System Aspects, Feasibility study for Proximity Services(ＰｒｏＳｅ)
【発明の概要】
【発明が解決しようとする課題】
【００１６】
しかしながら、従来のＱｏＳの確保の方法では、ＰｒｏＳｅにおける直接通信に適応することができない。従来のＱｏＳを確保する手続きでは、ＰＧＷ／ＳＧＷがＵＥ間の直接通信における（無線）ベアラを管理していなかった。また、ｅＮＢがＵＥ間の直接通信における無線ベアラを管理していなかった。さらに、通信元ＵＥ、通信先においてＵＥ間の直接通信における無線ベアラを管理していなかった。また、ＵＥ−ｔｏ−Ｎｅｔｗｏｒｋリレーにおいて、リレーＵＥは、カバレッジ外のＵＥと無線ベアラを管理していなかった。【００１７】
さらに、上記で説明したＰＧＷ／ＳＧＷ、ＭＭＥ、ｅＮＢ、通信元ＵＥ、通信先ＵＥ、リレーＵＥそれぞれにおいて、直接通信における（無線）ベアラを管理していたとしても、直接通信のベアラに対してＱｏＳを確保するための手続きをどのように行うかは明らかにされていなかった。【００１８】
また、移動通信ネットワークは従来のデータの送受信を提供しつつ、なるべく少ない変更で、ＰｒｏＳｅにおける直接通信に対するＱｏＳを確保するための手続きを行うことができる必要がある。こうした課題に対して具体的な実現手段がないために、通信元ＵＥおよび通信先ＵＥ間で直接通信に対して、ＱｏＳを確保する手続きを行うことができず、ＰｒｏＳｅサービスを効率的に提供することができなかった。【００１９】
本発明は、このような事業を鑑みてなされたもので、ＰｒｏＳｅにおける直接通信に対してＱｏＳを適用することを目的とした移動通信システム等を提供することである。
【課題を解決するための手段】
【００２０】
上述した課題を解決するために、本発明の移動通信システムは、
ＰＧＷ（Packet Data Network Gateway）と、制御装置と、基地局装置と、リレー端末装置と、前記リレー端末装置の近隣に位置する端末装置とを含み、前記基地局装置と前記リレー端末装置間において通信路が確立され、前記リレー端末装置と前記端末装置間において直接通信路が確立されている移動通信システムにおいて、
前記ＰＧＷは、通信品質の更新を、前記基地局装置と前記リレー端末装置間の前記通信路に対する通信品質の更新を要求する場合、直接通信を示す情報を含めず、前記リレー端末装置と前記端末装置間の前記直接通信路に対する通信品質の更新を要求する場合、直接通信を示す情報を含め、通信品質の更新を要求する第一の要求メッセージを送信し、
前記制御装置は、前記第一の要求メッセージを受信し、
前記要求メッセージに直接通信を示す情報が含まれていない場合には、前記基地局装置と前記リレー端末装置間の前記通信路に対する通信品質の更新を要求されていることを検出し、前記基地局装置へ直接通信を示す情報を含まない通信品質の更新を要求する第二の要求メッセージを送信し、
前記第一の要求メッセージに直接通信を示す情報を含まれている場合には、前記リレー端末装置と前記端末装置間の前記直接通信路に対する通信品質の更新を要求されていることを検出し、前記基地局装置へ直接通信を示す情報を含む通信品質の更新を要求する第二の要求メッセージを送信し、
前記基地局装置は、前記第二の要求メッセージを受信し、
前記第二の要求メッセージに直接通信を示す情報が含まれていない場合には、前記基地局装置と前記リレー端末装置間の前記通信路に対する通信品質の更新を要求されていることを検出し、前記リレー端末装置へ直接通信を示す情報を含まない通信品質の更新を要求する第三の要求メッセージを送信し、
前記第二の要求メッセージに直接通信を示す情報を含まれている場合には、前記リレー端末装置と前記端末装置間の前記直接通信路に対する通信品質の更新を要求されていることを検出し、前記リレー端末装置へ直接通信を示す情報と通信路のコネクションを選択するための情報を含む通信品質の更新を要求する第三の要求メッセージを送信し、
前記リレー端末装置は、前記第三の要求メッセージ受信し、
前記第三の要求メッセージに直接通信を示す情報が含まれていない場合には、前記基地局装置と前記リレー端末装置間の前記通信路に対する通信品質の更新を要求されていることを検出し、前記通信路に対する通信品質の更新を、前記基地局装置と行い、
前記第三の要求メッセージに直接通信を示す情報を含まれている場合には、前記リレー端末装置と前記端末装置間の前記直接通信路に対する通信品質の更新を要求されていることを検出し、前記端末装置へ直接通信路におけるコネクションを識別する識別子と通信品質に関する情報を含む通信品質の更新を要求する第四の要求メッセージを送信する、
ことを特徴とする。【００２１】
本発明のリレー装置は、
ＰＧＷと、制御装置と、基地局装置と、リレー端末装置と、前記リレー端末装置の近隣に位置する端末装置とを含み、リレー端末装置と端末装置間において直接通信路が確立されている移動通信システムにおけるリレー端末装置であって、
前記リレー端末装置は、基地局装置から前記通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、前記通信路に対する通信品質の更新を、前記基地局装置と行い、
前記要求メッセージに直接通信を示す情報を含まれている場合には、前記リレー端末装置と前記端末装置間の前記直接通信路に対する通信品質の更新を要求されていることを検出し、前記端末装置へ通信品質の更新を、直接通信路におけるコネクションを識別する識別子と通信品質に関する情報を含めて、要求する要求メッセージを送信することを特徴とする。【００２２】
本発明の端末装置は、
ＰＧＷと、制御装置と、基地局装置と、リレー端末装置と、前記リレー端末装置の近隣に位置する端末装置とを含み、リレー端末装置と端末装置間において直接通信路が確立されている移動通信システムにおける端末装置であって、
前記リレー端末装置から直接通信路におけるコネクションを識別する識別子と通信品質を示す情報を含む通信品質の更新を要求する要求メッセージを受信し、
前記要求メッセージに基づいて前記端末装置との前記直接通信路に対する通信品質の更新を行うことを特徴とする。【００２３】
本発明の基地局装置は、
ＰＧＷと、制御装置と、基地局装置と、リレー端末装置と、前記リレー端末装置の近隣に位置する端末装置とを含み、リレー端末装置と端末装置間において直接通信路が確立されている移動通信システムにおける基地局装置であって、
前記基地局装置は、前記制御装置から通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、通信品質の更新を、直接通信を示す情報を含めないことで、前記リレー端末装置へ通信品質の更新を要求する要求メッセージを送信し、
前記要求メッセージに直接通信を示す情報を含まれている場合には、
前記リレー端末装置と前記端末装置間の前記直接通信路に対する通信品質の更新を要求されていることを検出し、通信品質の更新を、直接通信を示す情報と通信品質を選択するための情報を含む、前記リレー端末装置へ直接通信を示す情報と直接通信路におけるコネクションを識別する識別子と通信路のコネクションを選択するための情報を含む通信品質の更新を要求する要求メッセージを送信することを特徴とする。【００２４】
本発明の制御装置は、
ＰＧＷと、制御装置と、基地局装置と、リレー端末装置と、前記リレー端末装置の近隣に位置する端末装置とを含み、リレー端末装置と端末装置間において直接通信路が確立されている移動通信システムにおける制御装置であって、
前記制御装置は、前記ＰＧＷから通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、前記基地局装置へ直接通信を示す情報を含めずに通信品質の更新を要求する要求メッセージを送信し、
前記要求メッセージに直接通信を示す情報を含まれている場合には、
前記リレー端末装置と前記端末装置間の前記直接通信路に対する通信品質の更新を要求されていることを検出し、通信品質の更新を、直接通信を示す情報を含む通信品質の更新を前記基地局装置へ要求する要求メッセージを送信することを特徴とする。【００２５】
本発明の通信制御方法は、
リレー端末装置が、リレー端末装置と、リレー端末装置の近隣に位置する端末装置の通信品質を更新するための通信制御方法であって、
前記リレー端末装置は、基地局装置から通信品質の更新を要求する要求メッセージを受信するステップと、前記要求メッセージに直接通信を示す情報が含まれていない場合には、前記基地局装置と前記リレー端末装置間の通信路に対する通信品質の更新を要求されていることを検出し、前記通信路に対する通信品質の更新を、前記基地局装置と行い、
前記要求メッセージに直接通信を示す情報を含まれている場合には、前記リレー端末装置と前記端末装置間の直接通信路に対する通信品質の更新を要求されていることを検出し、直接通信を示す情報と直接通信路におけるコネクションを識別する識別子と通信路のコネクションを選択するための情報を含む前記端末装置へ通信品質の更新を要求する要求メッセージを送信するステップとを備えることを特徴とする。【００２６】
本発明の通信制御方法は、
端末装置が、端末装置と、端末装置の近隣に位置するリレー端末装置の通信品質を更新するための通信制御方法であって、
前記リレー端末装置から直接通信路におけるコネクションを識別する識別子と通信品質を示す情報を含む通信品質の更新を要求する要求メッセージを受信するステップと、
前記要求メッセージに基づいて前記端末装置との直接通信路に対する通信品質の更新行うステップとを備えることを特徴とする。【００２７】
本発明の通信制御方法は、
基地局装置が、端末装置と、端末装置の近隣に位置するリレー端末装置の通信品質を更新するための通信制御方法であって、
前記基地局装置は、制御装置から通信品質の更新を要求する要求メッセージを受信するステップと、前記要求メッセージに、直接通信を示す情報が含まれていない場合には、前記基地局装置と前記リレー端末装置間の通信路に対する通信品質の更新を要求されていることを検出し、通信品質の更新を、直接通信を示す情報を含めないことで、前記リレー端末装置へ通信品質の更新を要求する要求メッセージを送信し、
前記要求メッセージに直接通信を示す情報を含まれている場合には、
前記リレー端末装置と前記端末装置間の直接通信路に対する通信品質の更新を要求されていることを検出し、前記リレー端末装置へ直接通信を示す情報と直接通信路におけるコネクションを識別する識別子と通信路のコネクションを選択するための情報を含む通信品質の更新を要求する要求メッセージを送信するステップとを備えることを特徴とする。【００２８】
本発明の通信制御方法は、
制御装置が、端末装置と、端末装置の近隣に位置するリレー端末装置の通信品質を更新するための通信制御方法であって、
前記制御装置は、ＰＧＷから通信品質の更新を要求する要求メッセージを受信するステップと、
前記要求メッセージに直接通信を示す情報が含まれていない場合には、基地局装置と前記リレー端末装置間の通信路に対する通信品質の更新を要求されていることを検出し、前記基地局装置へ直接通信を示す情報を含めずに通信品質の更新を要求する要求メッセージを送信し、
前記要求メッセージに直接通信を示す情報を含まれている場合には、
前記リレー端末装置と前記端末装置間の直接通信路に対する通信品質の更新を要求されていることを検出し、通信品質の更新を、直接通信を示す情報を含む通信品質の更新を前記基地局装置へ要求する要求メッセージを送信するステップとを備えることを特徴とする。【００２９】
本発明の移動通信システムは、
ＰＧＷ（Packet Data Network Gateway）と、制御装置と、基地局装置と、リレー端末装置と、前記リレー端末装置の近隣に位置する端末装置とを含み、前記基地局装置と前記リレー端末装置間において通信路が確立され、前記リレー端末装置と前記端末装置間において直接通信路が確立されている移動通信システムにおいて、
前記ＰＧＷは、通信品質の更新を、前記基地局装置と前記リレー端末装置間の前記通信路に対する通信品質の更新を要求する場合直接通信を示す情報を含めず、前記リレー端末装置と前記端末装置間の前記直接通信路に対する通信品質の更新を要求する場合、直接通信を示す情報を含め、通信品質の更新を要求する第一の要求メッセージを送信し、
前記制御装置は、前記第一の要求メッセージを受信し、
前記要求メッセージに直接通信を示す情報を含まれている場合には、
前記リレー端末装置と前記端末装置間の前記直接通信路に対する通信品質の更新を要求されていることを検出し、前記リレー端末装置へ直接通信を示す情報と直接通信路におけるコネクションを識別する識別子と通信品質に関する情報と通信路のコネクションを選択するための情報を含む通信品質の更新を要求する第二の要求メッセージを送信し、
前記リレー端末装置は、前記第二の要求メッセージを受信し、前記第二の要求メッセージに直接通信を示す情報が含まれていない場合には、前記基地局装置と前記リレー端末装置間の前記通信路に対する通信品質の更新を要求されていることを検出し、前記通信路に対する通信品質の更新を、前記基地局装置と行い、
前記第二の要求メッセージに直接通信を示す情報を含まれている場合には、前記リレー端末装置と前記端末装置間の前記直接通信路に対する通信品質の更新を要求されていることを検出し、前記端末装置へ直接通信路におけるコネクションを識別する識別子と通信品質に関する情報を含む通信品質の更新を要求する要求メッセージを送信することを特徴とする。【００３０】
本発明のリレー装置は、
ＰＧＷと、制御装置と、基地局装置と、リレー端末装置と、前記リレー端末装置の近隣に位置する端末装置とを含み、リレー端末装置と端末装置間において直接通信路が確立されている移動通信システムにおけるリレー端末装置であって、
前記リレー端末装置は、前記制御装置から通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、前記通信路に対する通信品質の更新を、前記基地局装置と行い、
前記要求メッセージに直接通信を示す情報を含まれている場合には、前記リレー端末装置と前記端末装置間の前記直接通信路に対する通信品質の更新を要求されていることを検出し、前記端末装置へ通信品質の更新を、直接通信路におけるコネクションを識別する識別子と通信品質に関する情報を含めて、要求する要求メッセージを送信することを特徴とする。【００３１】
本発明の制御装置は、
ＰＧＷと、制御装置と、基地局装置と、リレー端末装置と、前記リレー端末装置の近隣に位置する端末装置とを含み、リレー端末装置と端末装置間において直接通信路が確立されている移動通信システムにおける制御装置であって、
前記制御装置は、前記ＰＧＷから通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、通信品質の更新を、直接通信を示す情報を含めずに、前記リレー端末装置へ通信品質の更新を要求する要求メッセージを送信し、
前記要求メッセージに直接通信を示す情報を含まれている場合には、
前記リレー端末装置と前記端末装置間の前記直接通信路に対する通信品質の更新を要求されていることを検出し、直接通信を示す情報を含む通信品質の更新を前記端末装置へ要求する要求メッセージを送信することを特徴とする。【００３２】
本発明の通信制御方法は、
リレー端末装置が、リレー端末装置と、リレー端末装置の近隣に位置する端末装置の通信品質を更新するための通信制御方法であって、
前記リレー端末装置は、制御装置から通信品質の更新を要求する要求メッセージを受信するステップと、前記要求メッセージに直接通信を示す情報が含まれていない場合には、基地局装置と前記リレー端末装置間の通信路に対する通信品質の更新を要求されていることを検出し、前記通信路に対する通信品質の更新を、前記基地局装置と行い、
前記要求メッセージに直接通信を示す情報を含まれている場合には、前記リレー端末装置と前記端末装置間の直接通信路に対する通信品質の更新を要求されていることを検出し、直接通信路におけるコネクションを識別する識別子と通信品質に関する情報を含む前記端末装置へ通信品質の更新を要求する要求メッセージを送信するステップとを備えることを特徴とする。【００３３】
本発明の通信制御方法は、
制御装置が、端末装置と、端末装置の近隣に位置するリレー端末装置の通信品質を更新するための通信制御方法であって、
前記制御装置は、ＰＧＷから通信品質の更新を要求する要求メッセージを受信するステップと、
前記要求メッセージに直接通信を示す情報が含まれていない場合には、基地局装置と前記リレー端末装置間の通信路に対する通信品質の更新を要求されていることを検出し、通信品質の更新を、直接通信を示す情報を含めずに、前記リレー端末装置へ通信品質の更新を要求する要求メッセージを送信し、
前記要求メッセージに直接通信を示す情報を含まれている場合には、
前記リレー端末装置と前記端末装置間の直接通信路に対する通信品質の更新を要求されていることを検出し、前記基地局装置へ直接通信を示す情報を含む通信品質の更新を要求する要求メッセージを送信するステップとを備えることを特徴とする。【００３４】
本発明の移動通信システムは、
ＨＳＳと、制御装置と、基地局装置と、リレー端末装置と、前記リレー端末装置の近隣に位置する端末装置とを含み、前記基地局装置と前記リレー端末装置間において通信路が確立され、前記リレー端末装置と前記端末装置間において直接通信路が確立されている移動通信システムにおいて、
前記ＨＳＳは、契約者データの挿入を通知する通知メッセージを送信し、
前記制御装置は、前記通知メッセージを受信し、前記通知メッセージに直接通信を示す情報が含まれていない場合には、前記基地局装置と前記リレー端末装置間の前記通信路に対する通信品質の更新を要求されていることを検出し、前記基地局装置へ直接通信を示す情報を含まない通信品質の更新を要求する第一の要求メッセージを送信し、
前記通知メッセージに直接通信を示す情報を含まれている場合には、
前記リレー端末装置と前記端末装置間の前記直接通信路に対する通信品質の更新を要求されていることを検出し、前記基地局装置へ直接通信を示す情報を含む通信品質の更新を要求する第一の要求メッセージを送信し、
前記基地局装置は、前記第一の要求メッセージを受信し、
前記第一の要求メッセージに直接通信を示す情報が含まれていない場合には、
前記基地局装置と前記リレー端末装置間の前記通信路に対する通信品質の更新を要求されていることを検出し、前記リレー端末装置へ直接通信を示す情報を含まない通信品質の更新を要求する第二の要求メッセージを送信し、
前記第一の要求メッセージに直接通信を示す情報を含まれている場合には、
前記リレー端末装置と前記端末装置間の前記直接通信路に対する通信品質の更新を要求されていることを検出し、前記リレー端末装置へ直接通信を示す情報と直接通信路におけるコネクションを識別する識別子と通信路のコネクションを選択するための情報を含む通信品質の更新を要求する第二の要求メッセージを送信し、
前記リレー端末装置は、前記第二の要求メッセージを受信し、前記第二の要求メッセージに直接通信を示す情報が含まれていない場合には、前記基地局装置と前記リレー端末装置間の前記通信路に対する通信品質の更新を要求されていることを検出し、前記通信路に対する通信品質の更新を、前記基地局装置と行い、
前記第二の要求メッセージに直接通信を示す情報を含まれている場合には、前記リレー端末装置と前記端末装置間の前記直接通信路に対する通信品質の更新を要求されていることを検出し、前記端末装置へ直接通信路におけるコネクションを識別する識別子と通信品質に関する情報を含む通信品質の更新を要求する第三の要求メッセージを送信することを特徴とする。【００３５】
本発明の制御装置は、
ＨＳＳと、制御装置と、基地局装置と、リレー端末装置と、前記リレー端末装置の近隣に位置する端末装置とを含み、リレー端末装置と端末装置間において直接通信路が確立されている移動通信システムにおける制御装置であって、
前記制御装置は、前記ＨＳＳから通信品質の更新を要求する要求メッセージを受信し、前記要求メッセージに直接通信を示す情報が含まれていない場合には、前記基地局装置と前記リレー端末装置間の通信路に対する通信品質の更新を要求されていることを検出し、前記基地局装置へ直接通信を示す情報を含めずに通信品質の更新を要求する要求メッセージを送信し、
前記要求メッセージに直接通信を示す情報が含まれている場合には、
前記リレー端末装置と前記端末装置間の前記直接通信路に対する通信品質の更新を要求されていることを検出し、通信品質の更新を、直接通信を示す情報を含む通信品質の更新を前記基地局装置へ要求する要求メッセージを送信することを特徴とする。【００３６】
本発明の通信制御方法は、
制御装置が、端末装置と、端末装置の近隣に位置するリレー端末装置の通信品質を更新するための通信制御方法であって、
前記制御装置は、ＨＳＳから通信品質の更新を要求する要求メッセージを受信するステップと、
前記要求メッセージに直接通信を示す情報が含まれていない場合には、基地局装置と前記リレー端末装置間の通信路に対する通信品質の更新を要求されていることを検出し、通信品質の更新を、直接通信を示す情報を含めずに、前記リレー端末装置へ通信品質の更新を要求する要求メッセージを送信し、
前記要求メッセージに直接通信を示す情報を含まれている場合には、
前記リレー端末装置と前記端末装置間の直接通信路に対する通信品質の更新を要求されていることを検出し、前記基地局装置へ直接通信を示す情報を含む通信品質の更新を要求する要求メッセージを送信するステップとを備えることを特徴とする。【００３７】
本発明の移動通信システムは、
直接通信サービスを提供するためのサーバ装置と、制御装置と、基地局装置と、リレー端末装置と、前記リレー端末装置の近隣に位置する端末装置とを含み、前記基地局装置と前記リレー端末装置間において通信路が確立され、前記リレー端末装置と前記端末装置間において直接通信路が確立されている移動通信システムにおいて、
前記サーバ装置は、通信品質の更新を要求する第一の要求メッセージを送信し、
前記制御装置は、前記第一の要求メッセージを受信し、
前記リレー端末装置と前記端末装置間の前記直接通信路に対する通信品質の更新を要求されていることを検出し、前記基地局装置へ直接通信を示す情報を含む通信品質の更新を要求する第二の要求メッセージを送信し、
前記基地局装置は、前記第二の要求メッセージを受信し、
前記第二の要求メッセージに直接通信を示す情報が含まれていない場合には、
前記基地局装置と前記リレー端末装置間の前記通信路に対する通信品質の更新を要求されていることを検出し、前記リレー端末装置へ直接通信を示す情報を含まない通信品質の更新を要求する第三の要求メッセージを送信し、
前記第二の要求メッセージに直接通信を示す情報を含まれている場合には、
前記リレー端末装置と前記端末装置間の前記直接通信路に対する通信品質の更新を要求されていることを検出し、前記リレー端末装置へ直接通信を示す情報と通信路のコネクションを選択するための情報を含む通信品質の更新を要求する第三の要求メッセージを送信し、
前記リレー端末装置は、前記第三の要求メッセージを受信し、前記第三の要求メッセージに直接通信を示す情報が含まれていない場合には、前記基地局装置と前記リレー端末装置間の前記通信路に対する通信品質の更新を要求されていることを検出し、前記通信路に対する通信品質の更新を、前記基地局装置と行い、
前記第三の要求メッセージに直接通信を示す情報を含まれている場合には、前記リレー端末装置と前記端末装置間の前記直接通信路に対する通信品質の更新を要求されていることを検出し、前記端末装置へ直接通信路におけるコネクションを識別する識別子と通信品質に関する情報を含む通信品質の更新を要求する要求メッセージを送信することを特徴とする。【００３８】
本発明の制御装置は、
直接通信サービスを提供するためのサーバ装置と、制御装置と、基地局装置と、リレー端末装置と、前記リレー端末装置の近隣に位置する端末装置とを含み、リレー端末装置と端末装置間において直接通信路が確立されている移動通信システムにおける制御装置であって、
前記制御装置は、前記サーバ装置から通信品質の更新を要求する要求メッセージを受信し、
前記リレー端末装置と前記端末装置間の前記直接通信路に対する通信品質の更新を要求されていることを検出し、通信品質の更新を、直接通信を示す情報を含む通信品質の更新を前記基地局装置へ要求する要求メッセージを送信することを特徴とする制御装置。【００３９】
本発明のサーバ装置は、
直接通信サービスを提供するためのサーバ装置と、制御装置と、基地局装置と、リレー端末装置と、前記リレー端末装置の近隣に位置する端末装置とを含み、リレー端末装置と端末装置間において直接通信路が確立されている移動通信システムにおけるサーバ装置であって、
前記サーバ装置は、通信品質を更新するために、前記制御装置から通信品質の更新を要求する要求メッセージを送信することを特徴とする。【００４０】
本発明の通信制御方法は、
制御装置が、端末装置と、端末装置の近隣に位置するリレー端末装置の通信品質を更新するための通信制御方法であって、前記制御装置は、サーバ装置から通信品質の更新を要求する要求メッセージを受信するステップと、
前記要求メッセージに基づいて、前記リレー端末装置と前記端末装置間の直接通信路に対する通信品質の更新を要求されていることを検出し、基地局装置へ直接通信を示す情報を含む通信品質の更新を要求する要求メッセージを送信するステップとを備えることを特徴とする。【００４１】
本発明の通信制御方法は、
直接通信サービスを提供するためのサーバ装置が、端末装置と、端末装置の近隣に位置するリレー端末装置の通信品質を更新するための通信制御方法であって、前記サーバ装置は、通信品質の更新を必要とすることを検知するステップと、
制御装置へ直接通信を示す情報を含む通信品質の更新を要求する要求メッセージを送信するステップと、
を備えることを特徴とする。
【発明の効果】
【００４２】
本発明によれば、移動通信事業者は、通信元ＵＥおよび通信先ＵＥがＰｒｏＳｅにおける直接通信に対してＱｏＳを確保したデータの送受信を提供することができる。ＰＧＷ／ＳＧＷがＵＥ間の直接通信における（無線）ベアラを管理することができる。また、ｅＮＢがＵＥ間の直接通信における無線ベアラを管理することができる。さらに、通信元ＵＥ、通信先においてＵＥ間の直接通信における無線ベアラを管理することができる。また、ＵＥ−ｔｏ−Ｎｅｔｗｏｒｋリレーにおいて、リレーＵＥは、カバレッジ外のＵＥと無線ベアラを管理することができる。【００４３】
さらに、上記で説明したＰＧＷ／ＳＧＷ、ＭＭＥ、ｅＮＢ、通信元ＵＥ、通信先ＵＥ、リレーＵＥそれぞれにおいて、直接通信における（無線）ベアラを管理し、直接通信のベアラに対してＱｏＳを確保するための手続きを行うことができる。【００４４】
また、移動通信ネットワークは従来のデータの送受信を提供しつつ、なるべく少ない変更で、ＰｒｏＳｅにおける直接通信に対するＱｏＳを確保するための手続きを行うことができる。
【図面の簡単な説明】
【００４５】
【図１】第１実施形態における移動通信システム１の概要を説明するための図である。
【図２】第１実施形態におけるＵＥの機能構成を説明するための図である。
【図３】ＵＥの記憶部において管理される機能構成の例を示すための図である。
【図４】第１実施形態におけるＵＥ−Ｒの機能構成を説明するための図である。
【図５】ＵＥ―Ｒの記憶部において管理される機能構成の例を示すための図である。
【図６】第１実施形態におけるｅＮＢの機能構成を説明するための図である。
【図７】ｅＮＢの記憶部において管理される機能構成の例を示すための図である。
【図８】第１実施形態におけるＭＭＥの機能構成を説明するための図である。
【図９】ＭＭＥの記憶部において管理される機能構成の例を示すための図である。
【図１０】第１実施形態におけるＰＧＷの機能構成を説明するための図である。
【図１１】ＰＧＷの記憶部において管理される機能構成の例を示すための図である。
【図１２】第１実施形態における各装置で管理される識別情報の関係性を説明するための図である。
【図１３】第１実施形態におけるＰＤＮ接続確立手続きを説明するための図である。
【図１４】第１実施形態におけるＱｏＳ更新手続きを説明するための図である。
【図１５】第２実施形態における各装置で管理される識別情報の関係性を説明するための図である。
【図１６】第２実施形態におけるＱｏＳ更新手続きを説明するための図である。
【図１７】第３実施形態におけるＱｏＳ更新手続きを説明するための図である。
【図１８】第４実施形態における移動通信システム２および移動通信システム３の概要を説明するための図である。
【図１９】第４実施形態におけるＰｒｏＳｅ  Ｓｅｒｖｅｒの機能構成を説明するための図である。
【図２０】ＰｒｏＳｅ  Ｓｅｒｖｅｒの記憶部において管理される機能構成の例を示すための図である。
【図２１】第４実施形態におけるＱｏＳ更新手続きを説明するための図である。
【発明を実施するための形態】
【００４６】
以下、図面を参照して本発明を実施するための最良の形態について説明する。なお、本実施形態では、一例として、本発明を適用した場合の移動通信システムの実施形態について、図を用いて詳細に説明する。ここで、ＵＥ−ｔｏ−Ｎｅｔｗｏｒｋリレー（Ｒｅｌａｙ）とは、カバレッジ外のＵＥ（移動局、移動局装置、端末装置）がカバレッジ内のリレーＵＥ（リレー移動局、リレー移動局装置、リレー端末装置）と接続することにより、ｅＮＢ（ＬＴＥ基地局装置、ＬＴＥ基地局、基地局装置、基地局）と接続し、移動通信ネットワークと接続することができるネットワーク形態のことを示している。
【００４７】
カバレッジ内とは、ＬＴＥ基地局（ｅＮＢ）に在圏している状態を表し、ＬＴＥ基地局と接続することで、移動通信ネットワークへ接続できる状態のことである。一方、カバレッジ外とは、ＬＴＥ基地局（ｅＮＢ）に在圏していない状態を表し、ＬＴＥ基地局と接続することができず、直接、移動通信ネットワークへ接続できない状態のことである。
【００４８】
［１．第１実施形態］
まず、本発明を適用した第１実施形態について、図面を参照して説明する。
【００４９】
［１．１  移動通信システムの概要］
図１は、本実施形態における移動通信システム１の概略を説明するための図である。本図に示すように、移動通信システム１は、ＵＥ（User Equipment；移動局装置、端末装置）１０と、ＵＥ―Ｒ（リレー移動局装置、リレー端末装置、リレー移動局）１５と、ＬＴＥアクセスネットワーク（ＬＴＥ  ＡＮ）９と、ＭＭＥ（Mobility Management Entity）３０と、ＳＧＷ（Serving Gateway）４０と、ＰＧＷ（PDN Gateway）５０と、ＨＳＳ（Home Subscriber Server）６０と、ＰＣＲＦ（Policy and Charging Reference Function）７０と、ＰＤＮ（Packet Data Network）８０とで構成される。ＬＴＥ  ＡＮ９は、１つまたは複数のｅＮＢ２０で構成される。なお、コアネットワーク７は、ＭＭＥ３０と、ＳＧＷ４０と、ＰＧＷ５０と、ＨＳＳ６０と、ＰＣＲＦ７０で構成される。さらに、移動通信ネットワーク５は、コアネットワーク７とＬＴＥ  ＡＮ９で構成される。
【００５０】
なお、ＵＥ１０はｅＮＢ（evolved Node B）２０から移動通信ネットワーク５へ直接データの送受信を行うことはできないが、ＵＥ−Ｒ１５を介してｅＮＢ２０から移動通信ネットワーク５へデータの送受信を行うことができる。ここで、ＵＲ−Ｒ１５はＵＥ１０のデータを移動通信ネットワーク５へ送信し、移動通信ネットワーク５からのデータをＵＥ１０へ送信することができる（UE-to-network relay）。
【００５１】
ＵＥ１０は、ＬＴＥやＷＬＡＮ等のアクセスシステムを用いてＰｒｏＳｅにおける直接通信を行うことができる通信端末である。また、ＵＥ１０はＬＴＥやＷＬＡＮ等のアクセスシステムを用いて接続することができる通信端末であり、３ＧＰＰ  ＬＴＥの通信インタフェースを搭載して接続することにより、移動通信ネットワークへ接続することが可能である。さらに、ＵＥ１０は、ＵＥ−Ｒ１５を介して、ｅＮＢ２０から移動通信ネットワークへ接続することができる。具体的な例としては、携帯電話端末やスマートフォンであり、その他通信機能を備えたタブレット型コンピュータやパソコン、家電などである。
【００５２】
また、ＵＥ−Ｒ１５は、ＬＴＥやＷＬＡＮ等のアクセスシステムを用いてＰｒｏＳｅにおける直接通信を行うことができる通信端末である。また、ＵＥ―Ｒ１５はＬＴＥやＷＬＡＮ等のアクセスシステムを用いて接続することができる通信端末であり、３ＧＰＰ  ＬＴＥの通信インタフェースを搭載して接続することにより、移動通信ネットワークへ接続することが可能である。さらに、ＵＥ―Ｒ１５は、ＵＥ１０から送信されたデータをｅＮＢ２０から移動通信ネットワークへ送信することができる。また、ＵＥ−Ｒ１５は、移動通信ネットワークを経由してｅＮＢ２０からデータを受信し、ＵＥ１０へ送信することができる。具体的な例としては、携帯電話端末やスマートフォンであり、その他通信機能を備えたタブレット型コンピュータやパソコン、家電などである。
【００５３】
ｅＮＢ２０は、ＭＭＥ３０と、ＳＧＷ４０と、ＵＥ−Ｒ１５とに接続されている。ｅＮＢ２０は、ＵＥ−Ｒ１５に対して、ＬＴＥアクセス技術を介して、移動通信ネットワークへ（ＳＧＷ）の接続を提供する。
【００５４】
ＳＧＷ（Serving Gateway）４０は、ＰＧＷ５０と、ｅＮＢ２０とに接続され、ＰＧＷ５０とｅＮＢ２０との間でのパケット転送を行うサービス制御装置である。
【００５５】
ＭＭＥ（Mobility Management Entity）３０は、ｅＮＢ２０とＳＧＷ４０と、ＨＳＳ６０とに接続されている。ＭＭＥ３０は、シグナリングを行う装置であり、また、ＵＥ１０の位置管理およびＥＰＳベアラの確立手続を主導する位置管理装置でもある。ＥＰＳベアラとは、ＵＥ毎（ＵＥ１０またはＵＥ−Ｒ１５）にｅＮＢ２０とＳＧＷ４０（またはＰＧＷ５０）との間で確立されるユーザＩＰパケットを転送する論理パスのことである。なお、ＵＥ１０またはＵＥ−Ｒ１５は、複数のＥＰＳベアラを確立することができる。
【００５６】
ＰＧＷ（PDN(Packet Data Network) Gateway）５０は、ＳＧＷ４０と、ＰＣＲＦ７０と、ＰＤＮ８０とに接続される。ＰＧＷ５０はＰＤＮ８０から送信されたデータをＳＧＷ４０へ転送することにより、ＵＥ１０へ転送する。また、ＰＧＷ５０は、ＳＧＷ４０から送信されたデータをＰＤＮ８０へ転送する。なお、ＰＧＷ５０は、ＰＣＲＦ７０からの要求に応じて、カバレッジ内に在圏するＵＥ−Ｒ１５へＱｏＳ更新手続きを行う。
【００５７】
ＨＳＳ（Home Subscriber Server）６０は、ＭＭＥ３０に接続される。ＨＳＳ６０は、ユーザなどの契約者情報を管理し、ＭＭＥ３０からの要求に応じて、契約者情報を通知する。なお、ＨＳＳ６０は、契約者情報の更新に伴って、ＱｏＳ更新手続きを開始することができる。
【００５８】
ＰＣＲＦ（Policy and Charging Reference Function）７０は、ＰＤＮ８０とＰＧＷ５０とに接続する。ＰＣＲＦ７０は、ＥＰＳベアラの課金情報とＱｏＳポリシー制御情報を管理している機能のことである。ＰＣＲＦ７０は必要に応じて、ＱｏＳを制御するために、ＰＧＷ５０へＱｏＳ更新手続きを開始させることができる。
【００５９】
ＰＤＮ（Packet Data Network）８０は、パケットでデータのやり取りを行うネットワークサービスを提供するネットワークのことであり、例えば、インターネットやＩＭＳなどである。ＰＤＮ８０は、ＩＰアクセスネットワークへ有線回線等を利用して接続される。例えば、ＡＤＳＬ（Asymmetric Digital Subscriber Line）や光ファイバー等によって構築される。ただし、これに限らずＬＴＥ（Long Term Evolution）や、ＷＬＡＮ（Wireless LAN）、ＷｉＭＡＸ（Worldwide Interoperability for Microwave Access）等の無線アクセスネットワークであっても良い。
【００６０】
［１．２  装置構成］
続いて、各装置構成について図を用いて簡単に説明する。なお、ＳＧＷ４０とＰＣＲＦ７０、ＨＳＳ６０は移動通信システムにおける従来の装置と同様に構成されるため、説明を省略する。
【００６１】
[１．２．１  ＵＥの構成]
図２は、本実施形態におけるＵＥ１０の機能構成を示す。ＵＥ１０は、制御部１００に、第一のインタフェース部１１０と第二のインタフェース部１２０と、記憶部１４０とがバスを介して接続されている。
【００６２】
制御部１００は、ＵＥ１０を制御するための機能部である。制御部１００は、記憶部１４０に記憶されている各種プログラムを読みだして実行することにより各種処理を実現する。
【００６３】
第一のインタフェース部１１０は、ＬＴＥアクセス方式により無線通信によるデータの送受信を実行する機能部である。ここで、第一のインタフェース部１１０は、ＬＴＥ送信部とＬＴＥ受信部から構成される。ＬＴＥ送信部はＬＴＥ基地局を介してデータや制御情報を送信することができ、ＬＴＥ受信部はＬＴＥ基地局を介してデータや制御情報を送信することができる。なお、第一のインタフェース部１１０には、外部アンテナ１１２が接続されている。第一のインタフェース部においてＬＴＥ基地局を介してデータや制御情報の送信を行い、ＬＴＥ基地局を介してデータや制御情報の受信を行うことができる。ＵＥ１０は、送受信部を介してＬＴＥ基地局に接続して移動通信ネットワーク（ＭＭＥ３０、ＳＧＷ４０、ＰＧＷ５０）に接続して通信を行うこともできる。
【００６４】
ここで、第一のインタフェース部１１０は、アプリケーションの通信データであるユーザデータと制御情報の送信を行う送信部と、アプリケーションの通信データであるユーザデータと制御情報の受信を行う受信部とを分けて構成しても良い。
【００６５】
第二のインタフェース部１２０は、ＬＴＥ基地局を介さずに他のＵＥへデータや制御情報などで直接通信を行うことができる機能部である。なお、第二のインタフェース部１２０は、ＬＴＥアクセス技術を利用した直接通信を行う機能部であっても良いし、ＷＬＡＮアクセス技術を利用した直接通信を行う機能部であっても良い。ここで、第二のインタフェース部１２０は、直接送信部と直接受信部から構成される。直接送信部はＬＴＥ基地局を介さずにデータや制御情報を送信することができ、直接受信部はＬＴＥ基地局を介さずにデータや制御情報を送信することができる。なお、第二のインタフェース部１２０には、外部アンテナ１２２が接続されており、直接送信部においてＬＴＥ基地局を介さずにデータや制御情報の送信を行い、直接受信部においてＬＴＥ基地局を介さずにデータや制御情報の受信を行うことができる。なお、第一のインタフェース部１１０に接続された外部アンテナ１１２と第二のインタフェース部１２０に接続された外部アンテナ１２２は共用して利用される構成でも良い。
【００６６】
ここで、第二のインタフェース部１２０は、アプリケーション（ＡＰＰ）の通信データであるユーザデータと制御情報の送信を行う送信部と、アプリケーション（ＡＰＰ）の通信データであるユーザデータと制御情報の受信を行う受信部とを分けて構成しても良い。
【００６７】
また、第一のインタフェース部１１０と第二のインタフェース部１２０とは一つの送受信部として構成されてもよいし、第一のインタフェース部１１０の送信部と第二のインタフェース部１２０の送信部とを一つの送信部として構成し、第一のインタフェース部１１０の受信部と第二のインタフェース部１２０の受信部とを一つの受信部として構成しても良い。
【００６８】
記憶部１４０は、ＵＥ１０の各種動作に必要なプログラム、データ等を記憶する機能部である。記憶部１４０は、例えば、半導体メモリや、ＨＤＤ（Hard Disk Drive）等により構成されている。さらに、記憶部１４０には、ＥＰＳベアラコンテキスト１４２が記憶されている。
【００６９】
図３は、ＥＰＳベアラコンテキスト１４２の一例を示した図である。図３では、ＥＰＳベアラコンテキスト１４２に、Ｄ２Ｄ（Direct to Direct）  ＲＢ（Radio Bearer）  ＩＤ、Ｄ２Ｄ  ＴＦＴ（Traffic Flow Template）、Ｄ２Ｄ  ＱｏＳ（Quality of Service）を含めている。
【００７０】
Ｄ２Ｄ  ＲＢ  ＩＤは、ＵＥ１０とＵＥ−Ｒ１５間の直接通信路におけるコネクションを識別する識別子である。ここで、直接通信路におけるコネクションのことをＤ２Ｄ無線ベアラといい、Ｄ２Ｄ  ＲＢ  ＩＤは、Ｄ２Ｄ無線ベアラの識別子を記憶している。
【００７１】
ＵＥ１０は、直接通信を行う場合、Ｄ２Ｄ  ＴＦＴを利用して、Ｄ２Ｄ  ＲＢ  ＩＤ１４５を選択し、ＰｒｏＳｅにおける直接通信を行う。なお、Ｄ２Ｄ  ＲＢ  ＩＤは、Ｄ２Ｄ  ＲＢ  ＩＤである必要はなく、ＥＰＳ  ＲＢ  ＩＤであってもよく、Ｒｅｌａｙ  ＲＢ  ＩＤであっても良い。
【００７２】
Ｄ２Ｄ  ＴＦＴは、ＵＥ１０のアプリケーションや送信元ＵＥや送信先のＵＥ、ＰＧＷ５０に関する情報などと関連付けられ、アプリケーションや送信元ＵＥや送信先のＵＥの情報などに応じてどのベアラ（Ｄ２Ｄ  ＲＢ  ＩＤ）で直接通信を行うかを示す、通信路のコネクションを選択するための情報が管理されている。なお、Ｄ２Ｄ  ＴＦＴ１４６は、Ｄ２Ｄ  ＴＦＴである必要はなく、単にＴＦＴであっても良い。
【００７３】
Ｄ２Ｄ  ＱｏＳ１４７は、Ｄ２Ｄ  ＲＢ  ＩＤ１４５毎のＱｏＳを示している。ＵＥ１０は、Ｄ２Ｄ  ＴＦＴ１４６により、Ｄ２Ｄ  ＲＢ  ＩＤ１４５を選択し、選択したＤ２Ｄ  ＲＢ  ＩＤ１４５に応じたＤ２Ｄ  ＱｏＳ１４７を利用してＰｒｏＳｅにおける直接通信を行う。なお、Ｄ２Ｄ  ＱｏＳ１４７は、Ｄ２Ｄ  ＱｏＳ１４７である必要はなく、単にＱｏＳであっても良い。
【００７４】
なお、Ｄ２Ｄ  ＴＦＴがＵＥ  Ａ、Ｄ２Ｄ  ＲＢ  ＩＤが１、Ｄ２Ｄ  ＱｏＳがＤ２Ｄ  ＱＣＩ１となっており、ＵＥ  Ａと通信を行う場合には、Ｄ２Ｄ  ＲＢ  ＩＤに１が選択され、Ｄ２Ｄ  ＱＣＩ１で直接通信を行う。ここでＤ２Ｄ  ＱＣＩ（Ｑｕａｌｉｔｙ  Ｃｌａｓｓ  Ｉｎｄｉｃａｔｏｒ）とは、Ｄ２Ｄにおいて、ＱｏＳを示す情報であり、例えば、最大ビットレートや最低のビットレートを示している。
【００７５】
一方、Ｄ２Ｄ  ＴＦＴがＵＥ  Ｂ、Ｄ２Ｄ  ＲＢ  ＩＤが２、Ｄ２Ｄ  ＱｏＳがＤ２Ｄ  ＱＣＩ２となっており、ＵＥ  Ｂと通信を行う場合には、Ｄ２Ｄ  ＲＢ  ＩＤに２が選択され、Ｄ２Ｄ  ＱＣＩ２で直接通信を行う。ここで、Ｄ２Ｄ  ＴＦＴには、ＵＥ識別子が含まれているが、ＵＥに関する情報であれば良い。また、ＵＥに関する情報ではなく、アプリケーションに関する情報を含み、アプリケーションに応じてＤ２Ｄ  ＴＦＴが選択されても良い。また、ＵＥに関する情報および、アプリケーションに関する情報を含めて、複合的にＤ２Ｄ  ＴＦＴを選択しても良い。
【００７６】
[１．２．２  ＵＥ―Ｒの構成]
図４は、本実施形態におけるＵＥ―Ｒ１５の機能構成を示す。ＵＥ―Ｒ１５は、制御部１５００に、第一のインタフェース部１５１０と第二のインタフェース部１５２０と、記憶部１５４０とがバスを介して接続されている。
【００７７】
制御部１５００は、ＵＥ―Ｒ１５を制御するための機能部である。制御部１５００は、記憶部１５４０に記憶されている各種プログラムを読みだして実行することにより各種処理を実現する。
【００７８】
第一のインタフェース部１５１０は、ＬＴＥアクセス方式により無線通信によるデータの送受信を実行する機能部である。ここで、第一のインタフェース部１５１０は、ＬＴＥ送信部とＬＴＥ受信部から構成される。ＬＴＥ送信部はＬＴＥ基地局を介してデータや制御情報を送信することができ、ＬＴＥ受信部はＬＴＥ基地局を介してデータや制御情報を送信することができる。なお、第一のインタフェース部１５１０には、外部アンテナ１５１２が接続されている。第一のインタフェース部においてＬＴＥ基地局を介してデータや制御情報の送信を行い、ＬＴＥ基地局を介してデータや制御情報の受信を行うことができる。ＵＥ１０は、送受信部を介してＬＴＥ基地局に接続して移動通信ネットワーク（ＭＭＥ３０、ＳＧＷ４０、ＰＧＷ５０）に接続して通信を行うこともできる。
【００７９】
ここで、第一のインタフェース部１５１０は、アプリケーションの通信データであるユーザデータと制御情報の送信を行う送信部と、アプリケーションの通信データであるユーザデータと制御情報の受信を行う受信部とを分けて構成しても良い。
【００８０】
第二のインタフェース部１５２０は、ＬＴＥ基地局を介さずに他のＵＥへデータや制御情報などで直接通信を行うことができる機能部である。なお、第二のインタフェース部１５２０は、ＬＴＥアクセス技術を利用した直接通信を行う機能部であっても良いし、ＷＬＡＮアクセス技術を利用した直接通信を行う機能部であっても良い。ここで、第二のインタフェース部１５２０は、直接送信部と直接受信部から構成される。直接送信部はＬＴＥ基地局を介さずにデータや制御情報を送信することができ、直接受信部はＬＴＥ基地局を介さずにデータや制御情報を送信することができる。なお、第二のインタフェース部１５２０には、外部アンテナ１５２２が接続されており、直接送信部においてＬＴＥ基地局を介さずにデータや制御情報の送信を行い、直接受信部においてＬＴＥ基地局を介さずにデータや制御情報の受信を行うことができる。第一のインタフェース部１５１０に接続された外部アンテナ１５１２と第二のインタフェース部１５２０に接続された外部アンテナ１５２２は共用して利用される構成でも良い。
【００８１】
ここで、第二のインタフェース部１５２０は、アプリケーション（ＡＰＰ）の通信データであるユーザデータと制御情報の送信を行う送信部と、アプリケーション（ＡＰＰ）の通信データであるユーザデータと制御情報の受信を行う受信部とを分けて構成しても良い。
【００８２】
また、第一のインタフェース部１５１０と第二のインタフェース部１５２０とは一つの送受信部として構成されてもよいし、第一のインタフェース部１５１０の送信部と第二のインタフェース部１５２０の送信部とを一つの送信部として構成し、第一のインタフェース部１５１０の受信部と第二のインタフェース部１５２０の受信部とを一つの受信部として構成しても良い。
【００８３】
記憶部１５４０は、ＵＥ―Ｒ１５の各種動作に必要なプログラム、データ等を記憶する機能部である。記憶部１５４０は、例えば、半導体メモリや、ＨＤＤ（Hard Disk Drive）等により構成されている。さらに、記憶部１５４０には、ＥＰＳベアラコンテキスト１５４２と、ＵＥ−ｔｏ−ｎｅｔｗｏｒｋ  ｒｅｌａｙフラグ１５４８と、Ｄ２Ｄ  ＲＢ  ＩＤとＥＰＳ  ＲＢ  ＩＤのマッピングテーブル１５４９とが記憶されている。
【００８４】
図５（ａ）は、ＥＰＳベアラコンテキスト１４２の一例を示した図である。図５では、ＥＰＳベアラコンテキスト１５４２に、ＥＰＳ  ＲＢ  ＩＤ、ＴＦＴ、ＱｏＳ）を含めている。
【００８５】
ＥＰＳ  ＲＢ  ＩＤは、ｅＮＢ２０との無線通信路におけるコネクションを識別する識別子である。ここで、無線通信路におけるコネクションのことをＥＰＳ無線ベアラといい、ＥＰＳ  ＲＢ  ＩＤは、ＥＰＳ無線ベアラの識別子を記憶している。なお、ＵＥ−Ｒ１５はｅＮＢ２０とデータの送受信を行う場合、ＥＰＳ無線ベアラの識別子を選択する。
【００８６】
なお、ＵＥ−Ｒ１５は、ｅＮＢ２０とデータの送受信を行う場合に、ＥＰＳ  ＲＢ  ＩＤを選択する。ＵＥ−Ｒ１５は、ｅＮＢ２０と通信を行う場合、ＴＦＴを利用して、ＥＰＳ  ＲＢ  ＩＤを選択し、ｅＮＢ２０とデータの送受信を行う。
【００８７】
ＴＦＴは、アプリケーションや送信元ＵＥや送信先のＵＥ、ＰＧＷ５０に関する情報などと関連付けられ、アプリケーションや送信元ＵＥや送信先のＵＥ、ＰＧＷ５０に関する情報などに応じてどのベアラ（ＥＰＳ  ＲＢ  ＩＤ）でｅＮＢとデータの送受信を行うかを示す通信路のコネクションを選択するための情報が管理されている。
【００８８】
ＱｏＳは、ＥＰＳ  ＲＢ  ＩＤ毎のＱｏＳを示している。ＵＥ−Ｒ１５は、ＴＦＴにより、ＥＰＳ  ＲＢ  ＩＤを選択し、選択したＥＰＳ  ＲＢ  ＩＤに応じたＱｏＳを利用してｅＮＢ２０とデータの送受信を行う。
【００８９】
図５（ａ）では、ＴＦＴがＵＥ  Ｃ、ＥＰＳ  ＲＢ  ＩＤが１、ＱｏＳがＱＣＩ１となっており、ＵＥ  Ｃと通信を行う場合には、ＥＰＳ  ＲＢ  ＩＤに１が選択され、ＱＣＩ１でｅＮＢ２０とデータの送受信を行う。ここでＱＣＩ（Ｑｕａｌｉｔｙ  Ｃｌａｓｓ  Ｉｎｄｉｃａｔｏｒ）とは、ＱｏＳを示す情報であり、例えば、最大ビットレートや最低のビットレートを示している。
【００９０】
一方、ＴＦＴがＵＥ  Ｄ、ＥＰＳ  ＲＢ  ＩＤが２、ＱｏＳがＱＣＩ２となっており、ＵＥ  Ｄと通信を行う場合には、ＥＰＳ  ＲＢ  ＩＤに２が選択され、ＱＣＩ２でｅＮＢ２０とデータの送受信を行う。ここで、ＴＦＴには、ＵＥ識別子が含まれているが、ＵＥに関する情報であれば良い。また、ＵＥに関する情報ではなく、アプリケーションに関する情報を含み、アプリケーションに応じてＴＦＴが選択されても良い。また、ＵＥに関する情報および、アプリケーションに関する情報を含めて、複合的にＴＦＴを選択しても良い。
【００９１】
図５（ｂ）は、ＥＰＳベアラコンテキスト１４２の一例を示した図である。図５では、ＥＰＳベアラコンテキストに、Ｄ２Ｄ  ＴＦＴ、Ｄ２Ｄ  ＲＢ  ＩＤ、Ｄ２Ｄ  ＱｏＳを含めている。
【００９２】
Ｄ２Ｄ  ＴＦＴ（Ｔｒａｆｆｉｃ  Ｆｌoｗ  Ｔｅｍｐｌａｔｅ）は、ＵＥ−Ｒ１５のアプリケーションと関連付けられ、アプリケーションに応じてどのベアラ（Ｄ２Ｄ  ＲＢ  ＩＤ）で直接通信を行うかを示す通信路のコネクションを選択するための情報が管理されている。なお、Ｄ２Ｄ  ＴＦＴは、ＴＦＴで管理されても良い。
【００９３】
Ｄ２Ｄ  ＲＢ  ＩＤは、ＵＥ―Ｒ１５とＵＥ１０間の直接通信路におけるコネクションを識別する識別子である。ここで、Ｄ２Ｄ無線ベアラＩＤは、Ｄ２Ｄ無線ベアラの識別子を記憶している。ＵＥ−Ｒ１５は、直接通信を行う場合、Ｄ２Ｄ  ＴＦＴを利用して、Ｄ２Ｄ  ＲＢ  ＩＤを選択し、ＰｒｏＳｅにおける直接通信を行う。なお、Ｄ２Ｄ  ＲＢ  ＩＤは、Ｄ２Ｄ  ＲＢ  ＩＤである必要はなく、Ｒｅｌａｙ  ＲＢ  ＩＤであっても良い。また、Ｄ２Ｄ  ＲＢ  ＩＤはＥＰＳ  ＲＢ  ＩＤで管理されても良い。
【００９４】
Ｄ２Ｄ  ＱｏＳは、Ｄ２Ｄ  ＲＢ  ＩＤ毎のＱｏＳを示している。ＵＥ−Ｒ１５は、Ｄ２Ｄ  ＴＦＴにより、Ｄ２Ｄ  ＲＢ  ＩＤを選択し、選択したＤ２Ｄ  ＲＢ  ＩＤに応じたＤ２Ｄ  ＱｏＳを利用してＰｒｏＳｅにおける直接通信を行う。なお、Ｄ２Ｄ  ＱｏＳは、ＱｏＳで管理されても良い。なお、ＵＥ−Ｒ１５は、ＵＥ１０から送信されたデータを受信し、ｅＮＢ２０へ転送することができる。
【００９５】
図５（ｂ）では、Ｄ２Ｄ  ＴＦＴがＵＥ  Ａ、Ｄ２Ｄ  ＲＢ  ＩＤが１、Ｄ２Ｄ  ＱｏＳがＤ２Ｄ  ＱＣＩ１となっており、ＵＥ  Ａと通信を行う場合には、Ｄ２Ｄ  ＲＢ  ＩＤに１が選択され、Ｄ２Ｄ  ＱＣＩ１で直接通信を行う。一方、Ｄ２Ｄ  ＴＦＴがＵＥ  Ｂ、Ｄ２Ｄ  ＲＢ  ＩＤが２、Ｄ２Ｄ  ＱｏＳがＤ２Ｄ  ＱＣＩ２となっており、ＵＥ  Ｂと通信を行う場合には、Ｄ２Ｄ  ＲＢ  ＩＤに２が選択され、Ｄ２Ｄ  ＱＣＩ２で直接通信を行う。ここで、Ｄ２Ｄ  ＴＦＴには、ＵＥ識別子が含まれているが、ＵＥに関する情報であれば良い。また、ＵＥに関する情報ではなく、アプリケーションに関する情報を含み、アプリケーションに応じてＤ２Ｄ  ＴＦＴが選択されても良い。また、ＵＥに関する情報および、アプリケーションに関する情報を含めて、複合的にＤ２Ｄ  ＴＦＴを選択しても良い。
【００９６】
ＵＥ−ｔｏ−ｎｅｔｗｏｒｋ  ｒｅｌａｙフラグ１５４８は、ＵＥ−Ｒ１５が、ＵＥ１０から送信されたデータを、ｅＮＢ２０を含めた移動通信ネットワークへ転送することを許可されているか否かを示す情報である。また、ＵＥ−ｔｏ−ｎｅｔｗｏｒｋ  ｒｅｌａｙフラグ１５４８は、ＵＥ−Ｒ１５が、ｅＮＢ２０を含めた移動通信ネットワークから受信したデータを、ＵＥ１０へ転送することを許可されているか否かを示す情報である。Ｄ２Ｄ  ＲＢ  ＩＤとＥＰＳ  ＲＢ  ＩＤマッピングテーブル１５４９は、受信したデータの転送先を示している。
【００９７】
図５（ｃ）は、ＵＥ−ｔｏ−ｎｅｔｗｏｒｋフラグの例を示した図である。図５（ｃ）ではＵＥ−ｔｏ−ｎｅｔｗｏｒｋフラグが有効と管理されているため、ＵＥ−Ｒ１５は、ＵＥ１０から送信されたデータを、ｅＮＢ２０を含めた移動通信ネットワークへ転送することを許可されている。また、ＵＥ−Ｒ１５は、ｅＮＢ２０を含めた移動通信ネットワークから受信したデータを、ＵＥ１０へ転送することを許可されている。
【００９８】
図５（ｄ）は、Ｄ２Ｄ  ＲＢ  ＩＤとＥＰＳ  ＲＢ  ＩＤのマッピングテーブル１５４９の例である。Ｄ２Ｄ  ＲＢ  ＩＤ１５４５（“１”）とＥＰＳ  ＲＢ  ＩＤ１５４２（“１”）とがマッピングされて管理されている。ＵＥ―Ｒ１５は、Ｄ２Ｄ  ＲＢ  ＩＤが１である直接通信のデータを受信すると、ＥＰＳ  ＲＢ  ＩＤが１であるｅＮＢ２０を含む移動通信ネットワークへデータを転送する。また、ＵＥ―Ｒ１５は、ＥＰＳ  ＲＢ  ＩＤが１であるｅＮＢ２０を含む移動通信ネットワークからデータを受信すると、Ｄ２Ｄ  ＲＢ  ＩＤが１である直接通信へデータを転送する。なお、Ｄ２Ｄ  ＲＢ  ＩＤとＥＰＳ  ＲＢ  ＩＤのマッピングテーブル１５４９に記載されていない、Ｄ２Ｄ  ＲＢ  ＩＤ１５４５およびＥＰＳ  ＲＢ  ＩＤ１５４２はデータを転送する必要はない。
【００９９】
[１．２．３  ｅＮＢの構成]
図６は、本実施形態におけるｅＮＢ２０の機能構成を示す。ｅＮＢ２０は、制御部２００に、第一のインタフェース部２１０と移動通信ネットワークインタフェース部２３０と、記憶部２４０とがバスを介して接続されている。
【０１００】
制御部２００は、ｅＮＢ２０を制御するための機能部である。制御部２１００は、記憶部２４０に記憶されている各種プログラムを読みだして実行することにより各種処理を実現する。
【０１０１】
第一のインタフェース部２１０は、ＬＴＥアクセス方式により無線通信によるデータの送受信を実行する機能部である。ここで、第一のインタフェース部２１０は、ＬＴＥ送信部とＬＴＥ受信部から構成される。ＬＴＥ送信部はＬＴＥ基地局を介してデータや制御情報を送信することができ、ＬＴＥ受信部はＬＴＥ基地局を介してデータや制御情報を送信することができる。なお、第一のインタフェース部２１０には、外部アンテナ２１２が接続されている。第一のインタフェース部においてＬＴＥ基地局を介してデータや制御情報の送信を行い、ＬＴＥ基地局を介してデータや制御情報の受信を行うことができる。ｅＮＢ２０は、送受信部を介してＵＥ１０に接続して移動通信ネットワーク（ＭＭＥ３０、ＳＧＷ４０、ＰＧＷ５０）に接続して通信を行うこともできる。
【０１０２】
ここで、第一のインタフェース部２１０は、アプリケーションの通信データであるユーザデータと制御情報の送信を行う送信部と、アプリケーションの通信データであるユーザデータと制御情報の受信を行う受信部とを分けて構成しても良い。
【０１０３】
第二のインタフェース部２３０は、ｅＮＢ２０がコアネットワーク７に接続するための機能部である。記憶部２４０は、ｅＮＢ２０の各種動作に必要なプログラム、データ等を記憶する機能部である。記憶部２４０は、例えば、半導体メモリや、ＨＤＤ（Hard Disk Drive）等により構成されている。さらに、記憶部２４０には、ＥＰＳベアラコンテキスト２４２とＥＰＳ  ＲＢ  ＩＤのマッピングテーブル２４９とが記憶されている。
【０１０４】
図６にＥＰＳベアラコンテキスト２４２の例を示す。ＥＰＳベアラコンテキスト２４２には、ＥＰＳ  ＲＢ  ＩＤ、ＴＦＴ、ＱｏＳが含まれている。ＥＰＳ  ＲＢ  ＩＤは、ＵＥ−Ｒ１５とデータの送受信を行う場合に利用するＥＰＳ無線ベアラの識別子ＥＰＳ  ＲＢ  ＩＤである。ｅＮＢ２０は、ＵＥ−Ｒ１５と通信を行う場合、ＴＦＴを利用して、ＥＰＳ  ＲＢ  ＩＤを選択し、ＵＥ−Ｒ１５とデータの送受信を行う。なお、ｅＮＢ２０はＵＥ−Ｒ１５とデータの送受信を行うためのＥＰＳ  ＲＢ  ＩＤではなく、ＵＥ−Ｒ１５がＵＥ１０とＰｒｏＳｅにおける直接通信を行うＥＰＳ  ＲＢ  ＩＤを管理しても良い。なお、ＰｒｏＳｅにおける直接通信のために、ＥＰＳ  ＲＢ  ＩＤではなく、Ｄ２Ｄ（Direct to Direct）  ＲＢ  ＩＤとして別で管理しても良い。
【０１０５】
なお、ｅＮＢ２０は、Ｄ２Ｄ  ＲＢ  ＩＤを管理しても良い。Ｄ２Ｄ  ＲＢ  ＩＤは、ＵＥ１０とＵＥ−Ｒ１５間の通信路におけるコネクションを識別する識別子である。ここで、直接通信路におけるコネクションのことをＤ２Ｄ無線ベアラといい、Ｄ２Ｄ  ＲＢ  ＩＤは、Ｄ２Ｄ無線ベアラの識別子である。
【０１０６】
ＴＦＴは、アプリケーション送信元ＵＥや送信先のＵＥ、ＰＧＷ５０に関する情報などと関連付けられ、アプリケーションや送信元ＵＥや送信先のＵＥ、ＰＧＷ５０に関する情報などに応じてどのベアラ（ＥＰＳ  ＲＢ  ＩＤ）でｅＮＢとデータの送受信を行うかを示す通信路のコネクションを選択するための情報が管理されている。
【０１０７】
ＱｏＳは、ＥＰＳ  ＲＢ  ＩＤ毎のＱｏＳを示している。ｅＮＢ２０は、ＴＦＴにより、ＥＰＳ  ＲＢ  ＩＤを選択し、選択したＥＰＳ  ＲＢ  ＩＤに応じたＱｏＳを利用してＵＥ−Ｒ１５とデータの送受信を行う。
【０１０８】
図７（ａ）では、ＴＦＴがＵＥ  Ｃ、ＥＰＳ  ＲＢ  ＩＤが１、ＱｏＳがＱＣＩ１となっており、ＵＥ１０またはＵＥ−Ｒ１５がＵＥ  Ｃと通信を行う場合には、ＥＰＳ  ＲＢ  ＩＤに１が選択され、ＱＣＩ１でＵＥ−Ｒ１５とデータの送受信を行う。ここで、ＥＰＳ  ＲＢ  ＩＤは、ＴＦＴにより選択されることを説明したが、ＵＥ−Ｒ１５が通知するＥＰＳ  ＲＢ  ＩＤにより、決定されても良い。
【０１０９】
一方、ＴＦＴがＵＥ  Ｄ、ＥＰＳ  ＲＢ  ＩＤが２、ＱｏＳがＱＣＩ２となっており、ＵＥ  Ｄとデータを行う場合には、ＥＰＳ  ＲＢ  ＩＤに２が選択され、ＱＣＩ２でｅＮＢ２０とデータの送受信を行う。ここで、ＴＦＴには、ＵＥ識別子が含まれているが、ＵＥに関する情報であれば良い。また、ＵＥに関する情報ではなく、アプリケーションに関する情報を含み、アプリケーションに応じてＴＦＴが選択されても良い。また、ＵＥに関する情報および、アプリケーションに関する情報を含めて、複合的にＴＦＴを選択しても良い。
【０１１０】
図７（ｂ）は、ＥＰＳベアラＩＤとＥＰＳ  ＲＢ  ＩＤのマッピングテーブル２４９の例である。ＥＰＳベアラＩＤ（“１”）とＥＰＳ  ＲＢ  ＩＤ（“１”）とがマッピングされて管理されている。ｅＮＢ２０は、ＥＰＳベアラＩＤが１でデータをＳＧＷ４０から受信すると、ＥＰＳ  ＲＢ  ＩＤが１でＵＥ−Ｒ１５へデータを転送する。また、ｅＮＢ２０は、ＥＰＳ  ＲＢ  ＩＤが１でＵＥ−Ｒ１５からデータを受信すると、ＥＰＳベアラＩＤが１でＳＧＷ４０へデータを転送する。
【０１１１】
さらに、ＥＰＳベアラＩＤ（“２”）とＥＰＳ  ＲＢ  ＩＤ（“２”）とがマッピングされて管理されている。ｅＮＢ２０は、ＥＰＳベアラＩＤが２でデータをＳＧＷ４０から受信すると、ＥＰＳ  ＲＢ  ＩＤが２でＵＥ−Ｒ１５へデータを転送する。また、ｅＮＢ２０は、ＥＰＳ  ＲＢ  ＩＤが２でＵＥ−Ｒ１５からデータを受信すると、ＥＰＳベアラＩＤが２でＳＧＷ４０へデータを転送する。
【０１１２】
[１．２．４  ＭＭＥの構成]
図８にＭＭＥ３０の機能構成を示す。ＭＭＥ３０は、制御部３００に、移動通信ネットワークインタフェース部３１０と、記憶部３４０とがバスを介して接続されている。
【０１１３】
制御部３００は、ＭＭＥ３０を制御するための機能部である。制御部３００は、記憶部３４０に記憶されている各種プログラムを読みだして実行することにより各種処理を実現する。
【０１１４】
移動通信ネットワークインタフェース部３１０は、ＭＭＥ３０が移動通信ネットワークに接続するための機能部である。
【０１１５】
記憶部３４０は、ＭＭＥ３０の各種動作に必要なプログラム、データ等を記録する機能部である。記憶部３４０は、例えば、半導体メモリや、ＨＤＤ（Ｈａｒｄ  Ｄｉｓｋ  Ｄｒｉｖｅ）等により構成される。さらに、記憶部３４０には、ＥＰＳベアラコンテキスト３４２が記憶されている。
【０１１６】
図９に、ＥＰＳベアラコンテキスト３４２の例を示す。図９では、ＥＰＳベアラコンテキスト３４２に、ＥＰＳベアラＩＤ、ＴＦＴ、ＱｏＳが含まれている。
【０１１７】
ＴＦＴは、アプリケーションや送信元ＵＥや送信先のＵＥ、ＰＧＷ５０に関する情報などと関連付けられ、アプリケーションや送信元ＵＥや送信先のＵＥ、ＰＧＷ５０に関する情報などに応じてどのベアラ（ＥＰＳベアラＩＤ）でｅＮＢ２０とＳＧＷ４０がデータの送受信を行うかを示す通信路のコネクションを選択するための情報が管理されている。
【０１１８】
ＥＰＳベアラＩＤは、ｅＮＢ２０とＳＧＷ４０間の通信路におけるコネクションを識別する識別子である。ここで、通信路におけるコネクションのことをＥＰＳベアラといい、ＥＰＳベアラＩＤは、ＥＰＳベアラの識別子である。なお、ｅＮＢ２０はＳＧＷ４０とデータの送受信を行う場合、ＥＰＳベアラの識別子を選択する。また、ＳＧＷ４０は、ｅＮＢ２０とデータの送受信を行う場合、ＥＰＳベアラ識別子を選択する。
【０１１９】
なお、ＭＭＥ３０は、Ｄ２Ｄ  ＲＢ  ＩＤを管理しても良い。Ｄ２Ｄ  ＲＢ  ＩＤは、ＵＥ１０とＵＥ−Ｒ１５間の通信路におけるコネクションを識別する識別子である。ここで、直接通信路におけるコネクションのことをＤ２Ｄ無線ベアラといい、Ｄ２Ｄ  ＲＢ  ＩＤは、Ｄ２Ｄ無線ベアラの識別子である。
【０１２０】
ＱｏＳは、ＥＰＳベアラＩＤ毎のＱｏＳを示している。ＭＭＥ３０は、ｅＮＢ２０とＳＧＷ４０間で、ＥＰＳ  ＲＢ  ＩＤ毎に応じたＱｏＳを管理する。
【０１２１】
図９では、ＴＦＴがＵＥ  Ｃ、ＥＰＳベアラＩＤが１、ＱｏＳがＱＣＩ１となっており、ＵＥ１０またはＵＥ−Ｒ１５がＵＥ  Ｃと通信を行う場合には、ＥＰＳベアラＩＤに１が選択され、ＱＣＩ１でｅＮＢ２０とＳＧＷ４０がデータの送受信を行うことを管理している。
【０１２２】
一方、ＴＦＴがＵＥ  Ｄ、ＥＰＳベアラＩＤが２、ＱｏＳがＱＣＩ２と含まれており、ＵＥ１０またはＵＥ−Ｒ１５がＵＥ  Ｄとデータの送受信を行う場合には、ＥＰＳベアラＩＤに２が選択され、ＱＣＩ２でｅＮＢ２０とＳＧＷ４０がデータの送受信を行うことを管理している。ここで、ＴＦＴには、ＵＥ識別子が含まれているが、ＵＥに関する情報であれば良い。また、ＵＥに関する情報ではなく、アプリケーションに関する情報を含み、アプリケーションに応じてＴＦＴが選択されても良い。また、ＵＥに関する情報および、アプリケーションに関する情報を含めて、複合的にＴＦＴを選択しても良い。
【０１２３】
[１．２．５  ＰＧＷの構成]
図１０にＰＧＷ５０の機能構成を示す。ＰＧＷ５０は、制御部５００に、移動通信ネットワークインタフェース部５１０と、記憶部５４０とがバスを介して接続されている。
【０１２４】
制御部５００は、ＰＧＷ５０を制御するための機能部である。制御部５００は、記憶部５４０に記憶されている各種プログラムを読みだして実行することにより各種処理を実現する。
【０１２５】
移動通信ネットワークインタフェース部５１０は、ＰＧＷ５０が移動通信ネットワークに接続するための機能部である。
【０１２６】
記憶部５４０は、ＰＧＷ５０の各種動作に必要なプログラム、データ等を記録する機能部である。記憶部５４０は、例えば、半導体メモリや、ＨＤＤ（Ｈａｒｄ  Ｄｉｓｋ  Ｄｒｉｖｅ）等により構成される。さらに、記憶部５４０には、ＥＰＳベアラコンテキスト５４２、が記憶されている。
【０１２７】
図１１にＥＰＳベアラコンテキスト５４２の例を示す。ＥＰＳベアラコンテキスト５４２にはＥＰＳベアラＩＤ、ＴＦＴ、ＱｏＳが含まれている。ＥＰＳベアラＩＤは、ＰＧＷ５０とＳＧＷ４０間の通信路におけるコネクションを識別する識別子である。ここで、通信路におけるコネクションのことをＥＰＳベアラといい、ＥＰＳベアラＩＤは、ＥＰＳベアラの識別子を記憶している。なお、ＰＧＷ５０はＳＧＷ４０とデータの送受信を行う場合、ＥＰＳベアラの識別子を選択する。
【０１２８】
ＴＦＴは、アプリケーションや送信元ＵＥや送信先ＵＥ、ＰＧＷ５０に関する情報などと関連付けられ、アプリケーションや送信元ＵＥや送信先ＵＥ、ＰＧＷ５０に関する情報などに応じてどのベアラ（ＥＰＳベアラＩＤ）でＳＧＷ４０とデータの送受信を行うかを示す通信路のコネクションを選択するための情報が管理されている。
【０１２９】
ＱｏＳは、ＥＰＳベアラＩＤ毎のＱｏＳを示している。ＰＧＷ５０は、ＳＧＷ４０と、ＥＰＳ  ＲＢ  ＩＤ毎に応じたＱｏＳを管理する。
【０１３０】
図１１では、ＴＦＴがＵＥ  Ｃ、ＥＰＳベアラＩＤが１、ＱｏＳがＱＣＩ１となっており、ＵＥ１０またはＵＥ−Ｒ１５がＵＥ  Ｃと通信を行う場合には、ＥＰＳベアラＩＤに１が選択され、ＱＣＩ１でＳＧＷ４０とデータの送受信を行うことを管理している。
【０１３１】
一方、ＴＦＴがＵＥ  Ｄ、ＥＰＳベアラＩＤが２、ＱｏＳがＱＣＩ２と含まれており、ＵＥ１０またはＵＥ−Ｒ１５がＵＥ  Ｄとデータの送受信を行う場合には、ＥＰＳベアラＩＤに２が選択され、ＱＣＩ２でＳＧＷ４０とデータの送受信を行うことを管理している。ここで、ＴＦＴには、ＵＥ識別子が含まれているが、ＵＥに関する情報であれば良い。また、ＵＥに関する情報ではなく、アプリケーションに関する情報を含み、アプリケーションに応じてＴＦＴが選択されても良い。また、ＵＥに関する情報および、アプリケーションに関する情報を含めて、複合的にＴＦＴを選択しても良い。
【０１３２】
図１２に、ＰＧＷ５０／ＳＧＷ４０とｅＮＢ２０とＵＥ−Ｒ１５とＵＥ１０において、Ｄ２Ｄ無線ベアラとＥＰＳ無線ベアラとＥＰＳベアラの関係を示す。
【０１３３】
ＰＧＷ５０／ＳＧＷ４０はデータの送受信のために、ＥＰＳベアラＩＤを管理している。なお、ＰＧＷ５０は下りリンクデータの送信のために、ＴＦＴを管理している。ｅＮＢ２０はＥＰＳベアラＩＤとＥＰＳ  ＲＢ  ＩＤを関連付けて管理している。ＵＥ−Ｒ１５はＥＰＳ  ＲＢ  ＩＤとＤ２Ｄ  ＲＢ  ＩＤを管理している。ＵＥ１０はＤ２Ｄ  ＲＢ  ＩＤを管理している。なお、ＵＥ１０は上りリンクデータの送信のために、Ｄ２Ｄ  ＴＦＴ（ＴＦＴ）を管理している。
【０１３４】
図１２の関係を利用して、ＰＧＷ５０からＵＥ１０へデータを送信する場合の流れを説明する。まず、ＰＧＷ５０は、ＥＰＳベアラＩＤを管理し、ＴＦＴに従って、ＥＰＳベアラＩＤを選択し、ＰＧＷ５０はＳＧＷ４０へデータを送信する。ＳＧＷ４０は、ｅＮＢ２０へＰＧＷ５０からのデータをＥＰＳベアラＩＤに応じて転送する。
【０１３５】
次に、ｅＮＢ２０はＳＧＷ４０からのデータをＥＰＳベアラＩＤに応じてＵＥ−Ｒ１５へ転送する。このとき、ｅＮＢ２０は、ＳＧＷ４０からデータに含められるＥＰＳベアラＩＤにより、ＥＰＳベアラＩＤとＥＰＳ  ＲＢ  ＩＤのマッピングテーブル２４９からＥＰＳ  ＲＢ  ＩＤを解決し、ＥＰＳ  ＲＢ  ＩＤに応じてデータをＵＥ−Ｒ１５に転送する。
【０１３６】
次に、ＵＥ−Ｒ１５は、ｅＮＢ２０からのデータをＥＰＳ  ＲＢ  ＩＤに応じてＵＥ１０へＰｒｏＳｅにおける直接通信を利用して転送する。このとき、ＵＥ−Ｒ１５は、ｅＮＢ２０からデータに含められるＥＰＳ  ＲＢ  ＩＤにより、ＥＰＳ  ＲＢ  ＩＤとＤ２Ｄ  ＲＢ  ＩＤのマッピングテーブル１５４９からＤ２Ｄ  ＲＢ  ＩＤを解決し、Ｄ２Ｄ  ＲＢ  ＩＤに応じてデータをＵＥ１０に転送する。
【０１３７】
以上により、ＰＧＷ５０はＳＧＷ４０、ｅＮＢ２０、ＵＥ−Ｒ１５を経由して、ＵＥ１０へデータを送信することができる。
【０１３８】
また、図１２の関係を利用して、ＵＥ１０からＰＧＷ５０へデータを送信する場合の流れを説明する。まず、ＵＥ１０は、Ｄ２Ｄ  ＴＦＴに従って、Ｄ２Ｄ  ＲＢ  ＩＤを選択し、ＵＥ１０はＵＥ−Ｒ１５へデータを送信する。ＵＥ−Ｒ１５は、ｅＮＢ２０へＵＥ１０からのデータをＤ２Ｄ  ＲＢ  ＩＤに応じて転送する。このとき、ＵＥ−Ｒ１５は、ＵＥ１０からデータに含められるＤ２Ｄ  ＲＢ  ＩＤにより、Ｄ２Ｄ  ＲＢ  ＩＤとＥＰＳ  ＲＢ  ＩＤのマッピングテーブルからＥＰＳ  ＲＢ  ＩＤを解決し、ＥＰＳ  ＲＢ  ＩＤに応じてデータをｅＮＢ２０に転送する。
【０１３９】
次に、ｅＮＢ２０はＵＥ−Ｒ１５からのデータをＥＰＳ  ＲＢ  ＩＤに応じてＳＧＷ４０へ転送する。このとき、ｅＮＢ２０は、ＵＥ−Ｒ１５からデータに含められるＥＰＳ  ＲＢ  ＩＤにより、ＥＰＳベアラＩＤとＥＰＳ  ＲＢ  ＩＤのマッピングテーブル２４９からＥＰＳベアラＩＤを解決し、ＥＰＳベアラＩＤに応じてデータをＳＧＷ４０に転送する。
【０１４０】
次に、ＳＧＷ４０は、ｅＮＢ２０からのデータをＥＰＳベアラＩＤに応じてＰＧＷ５０へ転送する。
【０１４１】
以上により、ＵＥ１０はＵＥ−Ｒ１５、ｅＮＢ２０、ＳＧＷ４０を経由して、ＰＧＷ５０へデータを送信することができる。なお、ＰＧＷ５０は、ＵＥ１０のデータをＰＤＮ８０へ転送する。
【０１４２】
［１．３  処理の説明］
［１．３．１  ＵＥ−ｔｏ−Ｎｅｔｗｏｒｋ  ＲｅｌａｙにおけるＰＤＮ接続確立手続き］
続いて、上述した移動通信システムにおける具体的な手続きおよび処理について説明する。図１３を用いて、カバレッジ外であるＵＥ１０がカバレッジ内であるＵＥ―Ｒ１５をＲｅｌａｙ  ＵＥとして近隣検出し、ＰＤＮコネクション確立するための手続きを説明する。
【０１４３】
まず、ＵＥ１０は、ＵＥ−Ｒ１５を直接通信できる程度に近隣であることを検出する（Ｓ１００２）。ここで、ＵＥ１０がＵＥ−Ｒ１５を検出する方法は種々の方法が考えられるが、例えば、ＵＥ−Ｒ１５が自身の存在をブロードキャストで信号を送信し、ＵＥ１０がＵＥ−Ｒ１５の信号を受信することで検出することができる。なお、ＵＥ−Ｒ１５は、ＵＥ１０へＲｅｌａｙ可能であることを通知しても良い。なお、ＵＥ−Ｒ１５がＲｅｌａｙ可能であることはあらかじめ移動通信ネットワークから許可されているものとする（ＵＥ−ｔｏ−ｎｅｔｗｏｒｋ  ｒｅｌａｙフラグ１５４８が有効になっている）。
【０１４４】
次に、ＵＥ１０はＵＥ−Ｒ１５とリンク確立と認証を行う（Ｓ１００４）。ここで、ＵＥ１０はＵＥ−Ｒ１５とリンク確立を行うために、ＵＥ−Ｒ１５と認証を行う。ここで、ＵＥ−Ｒ１５はＵＥ１０を認証するために、同じグループであることにより認証しても良い。ＵＥ−Ｒ１５はＵＥ１０を認証した後、ＵＥ１０とリンク確立を行う。
【０１４５】
ＵＥ１０とリンクの確立を行ったＵＥ−Ｒ１５は、ＰＤＮ接続確立手続きを行う（Ｓ１００６）。ここで、ＰＤＮ接続確立は、移動通信システムにおける従来の手続きと同様であるため、説明を省略する。なお、ＵＥ−Ｒ１５はＰＤＮ接続確立手続きにより、ＰＤＮ接続を確立することができる。また、すでに、ＵＥ−Ｒ１５がＰＤＮ接続を確立している場合には、本手続きを行わなくても良い。
【０１４６】
続いて、ＵＥ−Ｒ１５は、ＭＭＥ３０へベアラリソース変更要求を送信する（Ｓ１００８）。ここで、ＵＥ−Ｒ１５はｒｅｌａｙ接続であることを示す情報を含める。
【０１４７】
次に、ＭＭＥ３０は、ベアラリソース命令をＳＧＷ４０へ送信し（Ｓ１０１０）、ＳＧＷ４０はＰＧＷ５０へベアラリソース命令を転送する（Ｓ１０１２）。このとき、ベアラリソース命令にはｒｅｌａｙ接続であることを示す情報を含める。ＰＧＷ５０は、ＳＧＷ４０からベアラリソース命令を受信し、ベアラリソース命令に含まれるｒｅｌａｙ接続であることを示す情報により、リレー経由で接続するＵＥの存在を検出する。ＰＧＷ５０は、リレー（ＵＥ−Ｒ１５）経由で接続するＵＥ（ＵＥ１０）にＩＰアドレスを割り当てる。さらに、ＰＧＷ５０は、ＵＥ１０へデータを送信するためにＴＦＴを生成する。
【０１４８】
次に、ＰＧＷ５０は、ＳＧＷ４０へベアラ更新要求を送信し（Ｓ１０１４）、ＳＧＷ４０はＭＭＥ３０へベアラ更新要求を送信する（Ｓ１０１６）。ここで、ベアラ更新要求にはＰＧＷ５０がＵＥ１０に割り当てたＩＰアドレス、ＴＦＴを含める。また、ＰＧＷ５０は、ＥＰＳベアラＩＤを生成し、ＥＰＳベアラＩＤを含めても良い。ＳＧＷ４０はベアラ更新要求にＥＰＳベアラＩＤが含められている場合には、ＥＰＳベアラＩＤを含めても良い。
【０１４９】
次に、ＭＭＥ３０は、ＵＥ−Ｒ１５へ下りリンクＮＡＳ転送をＵＥ−Ｒへ送信する（Ｓ１０１８）。下りリンクＮＡＳ転送には、ベアラ更新要求に含まれたＩＰアドレス、ＴＦＴを含める。また、ベアラ更新要求にＥＰＳベアラＩＤが含められている場合には、ＥＰＳベアラＩＤを含めても良い。ベアラ更新要求に含まれるＥＰＳベアラＩＤを受信したＵＥ−Ｒ１５は、ｒｅｌａｙ接続（ＵＥ１０）に対するＤ２Ｄ無線ベアラを確立することを検知して、Ｄ２Ｄ  ＲＢ  ＩＤを生成する。さらに、ＵＥ−Ｒ１５は、ＥＰＳ  ＲＢ  ＩＤのマッピングテーブル１５４９にＤ２Ｄ  ＲＢ  ＩＤとＥＰＳベアラＩＤを管理する。ここで、ＥＰＳベアラＩＤはＥＰＳ  ＲＢ  ＩＤとしても良い。
【０１５０】
次に、ＵＥ−Ｒ１５は、ＵＥ１０へＰｒｏＳｅベアラ通知を送信する（Ｓ１０２０）。なお、ＰｒｏＳｅベアラ通知には、ＭＭＥ３０から通知されたＩＰアドレス、ＴＦＴを含める。また、ＥＰＳベアラＩＤが下りリンクＮＡＳ転送に含められている場合には、ＥＰＳベアラＩＤを含めても良い。ＵＥ１０はＩＰアドレス、ＴＦＴを管理し、以降のデータの送受信に利用する。また、ＵＥ１０はＰｒｏＳｅベアラ通知にＥＰＳベアラＩＤが含められている場合には、ＥＰＳベアラＩＤを管理し、以降のデータの送受信に利用しても良い。
【０１５１】
ＰｒｏＳｅベアラ通知を行ったＵＥ−Ｒ１５は、ＭＭＥ３０へ下りリンクＮＡＳ転送に対する応答として上りリンクＮＡＳ転送を送信する（Ｓ１０２２）。
【０１５２】
下りリンクＮＡＳ転送に対して、上りリンクＮＡＳ転送を受信したＭＭＥ３０はベアラ更新応答をＳＧＷ４０へ送信し（Ｓ１０２２）、ＳＧＷ４０はＰＧＷ５０へベアラ更新応答を送信する（Ｓ１０２４）。
【０１５３】
以上の手続きにより、カバレッジ外に存在するＵＥ１０は、カバレッジ内のＵＥ−Ｒ１５を経由して移動通信ネットワークに接続し、移動通信ネットワークを経由したデータの送受信を行うことができる。
【０１５４】
［１．３．２  ＱｏＳ更新手続き］
次に、ＱｏＳ更新手続きについて図１４に示す。ここでは、ＵＥ−ｔｏ−Ｎｅｔｗｏｒｋ  ＲｅｌａｙにおけるＰＤＮ接続確立手続きで確立したベアラとは異なるベアラを確立する。
【０１５５】
まず、ＰＧＷ５０は、ＵＥ１０へ特定ベアラを確立するために、ＰＣＣからＱｏＳ更新をトリガーされる（Ｓ１１０２）。ＰＣＣ（Policy and Charging Control）とは、ＰＣＲＦ７０がユーザのアクセス制御とＱｏＳパラメータのポリシーを許可、決定し、許可されたポリシーに従って、ユーザのアクセス制御と対応するＱｏＳ制御を行う仕組みである。
【０１５６】
ＰＣＣからＱｏＳトリガーを受けたＰＧＷ５０は、通信品質の更新を要求するベアラ更新要求をＳＧＷ４０へ送信し（Ｓ１１０４）、ＳＧＷ４０はＭＭＥ３０へ通信品質の更新を要求するベアラ更新要求を送信する（Ｓ１１０６）。ここで、ベアラ更新要求には、ＰｒｏＳｅフラグ、ＥＰＳベアラＩＤ、ＱｏＳ、ＴＦＴを含める。なお、ＰｒｏＳｅフラグは、ＵＥ１０とＵＥ−Ｒ１５間の直接通信路に対するＤ２Ｄ無線ベアラを生成／更新を示すための情報（直接通信を示す情報）である。ＰｒｏＳｅフラグは、ＵＥ１０とＵＥ−Ｒ１５間の直接通信路に対するＤ２Ｄ無線ベアラを生成／更新を示すための情報（直接通信を示す情報）であれば、ＰｒｏＳｅ  ｉｎｄｉｃａｔｏｒやＲｅｌａｙ  ｉｎｄｉｃａｔｏｒ、ＰｒｏＳｅ  Ｒｅｌａｙフラグなどでも良い。ここで、ＵＥ１０とＵＥ−Ｒ１５間の直接通信路に対するＤ２Ｄ無線ベアラを生成／更新せず、ｅＮＢ２０とＵＥ−Ｒ１５間の通信路に対するＥＰＳ無線ベアラを生成／更新する場合には、ＰｒｏＳｅフラグを含まなくて良い。
【０１５７】
また、ＰＧＷ５０は、ＳＧＷ４０へＥＰＳベアラ更新要求を送信し、ＳＧＷ４０はＭＭＥ３０へベアラ更新要求を送信しているが、ＰＧＷ５０がＭＭＥ３０へ直接送信しても良い。
【０１５８】
ベアラ更新要求を受信したＭＭＥ３０は、ＰｒｏＳｅフラグ（直接通信を示す情報）を検知し、ＵＥ１０とＵＥ−Ｒ１５間に対するＤ２Ｄ無線ベアラを生成／更新することを検出する。ここで、ＭＭＥ３０は、ＰｒｏＳｅフラグを検知できなかった場合には、ＵＥ１０とＵＥ−Ｒ１５間の直接通信路に対するＤ２Ｄ無線ベアラを生成／更新するのではなく、ｅＮＢ２０とＵＥ−Ｒ１５間のＥＰＳ無線ベアラを生成／更新することを検出する。
【０１５９】
次に、ＭＭＥ３０は、通信品質の更新を要求するベアラ変更要求をｅＮＢ２０へ送信する（Ｓ１１０８）。ここで、ベアラ変更要求には、ＰｒｏＳｅフラグ、ＥＰＳベアラＩＤ、ＱｏＳ、ＴＦＴを含める。なお、ＰｒｏＳｅフラグは、ｅＮＢ２０に、ｅＮＢ２０およびＵＥ１０間のＥＰＳ無線ベアラではなく、ＵＥ１０とＵＥ−Ｒ１５間のＤ２Ｄ無線ベアラを生成／更新させるための情報（直接通信を示す情報）である。また、ＰｒｏＳｅフラグは、ＵＥ１０とＵＥ−Ｒ１５間の直接通信路に対するＤ２Ｄ無線ベアラを生成／更新させるための情報であれば、ＰｒｏＳｅ  ｉｎｄｉｃａｔｏｒやＲｅｌａｙ  ｉｎｄｉｃａｔｏｒ、ＰｒｏＳｅ  Ｒｅｌａｙフラグなどでも良い。ここで、ＵＥ１０とＵＥ−Ｒ１５間の直接通信路に対するＤ２Ｄ無線ベアラを生成／更新せず、ｅＮＢ２０とＵＥ−Ｒ１５間の通信路に対するＥＰＳ無線ベアラを生成／更新する場合には、ＰｒｏＳｅフラグを含まなくて良い。
【０１６０】
ＭＭＥ３０からベアラ変更要求を受信したｅＮＢ２０は、ベアラ変更要求に含まれるＰｒｏＳｅフラグを検知して、ｅＮＢ２０とＵＥ−Ｒ１５間のＥＰＳ無線ベアラを変更するのではなく、ＵＥ−Ｒ１５とＵＥ１０間の直接通信路に対するＤ２Ｄ無線ベアラを更新することを検出する。一方、ｅＮＢ２０は、ＰｒｏＳｅフラグを検知できなかった場合には、ＵＥ１０とＵＥ−Ｒ１５間の直接通信路に対するＤ２Ｄ無線ベアラを生成／更新するのではなく、ｅＮＢ２０とＵＥ−Ｒ１５間のＥＰＳ無線ベアラを生成／更新することを検出する。
【０１６１】
また、ｅＮＢ２０はＥＰＳ  ＲＢ  ＩＤに対応するＱｏＳ、ＴＦＴを検出する。ここで、ｅＮＢ２０は、ＥＰＳベアラＩＤからＥＰＳ  ＲＢ  ＩＤを生成する。さらに、ｅＮＢ２０は、ＥＰＳベアラＩＤとＥＰＳ  ＲＢ  ＩＤのマッピングテーブル２４９にＥＰＳベアラＩＤおよび、ＥＰＳ  ＲＢ  ＩＤを含める。
【０１６２】
次に、ｅＮＢ２０は、ＵＥ−Ｒ１５とＵＥ１０との直接通信路に対するＤ２Ｄ無線ベアラ更新のために通信品質の更新を要求するＲＲＣ再設定通知を送信する（Ｓ１１１０）。ここで、ＲＲＣ再設定には、ＲＢ  ＩＤ、ＱｏＳを含める。なお、ＭＭＥ３０からベアラ変更要求にＰｒｏＳｅフラグが含まれ、ＵＥ−Ｒ１５とＵＥ１０間の直接通信路に対するＤ２Ｄ無線ベアラを更新することを検出した場合には、ＰｒｏＳｅフラグおよびＴＦＴを含める。なお、ＰｒｏＳｅフラグは、ＵＥ１０とＵＥ−Ｒ１５間の直接通信路に対するＤ２Ｄ無線ベアラを生成／更新を示すための情報（直接通信を示す情報）であれば、ＰｒｏＳｅ  ｉｎｄｉｃａｔｏｒやＲｅｌａｙ  ｉｎｄｉｃａｔｏｒ、ＰｒｏＳｅ  Ｒｅｌａｙフラグなどでも良い。ここで、ＵＥ１０とＵＥ−Ｒ１５間の直接通信路に対するＤ２Ｄ無線ベアラを生成／更新せず、ｅＮＢ２０とＵＥ−Ｒ１５間の通信路に対するＥＰＳ無線ベアラを生成／更新する場合には、ＰｒｏＳｅフラグおよびＴＦＴを含まなくて良い。
【０１６３】
ｅＮＢ２０からＲＲＣ再設定を受信し、ＰｒｏＳｅフラグを検知したＵＥ−Ｒ１５は、ｅＮＢ２０とのＥＰＳ無線ベアラを更新するのではなく、ＵＥ−Ｒ１５とＵＥ１０間の直接通信路に対するＤ２Ｄ無線ベアラを更新することを検出する。ＵＥ−Ｒ１５はＤ２Ｄ  ＲＢ  ＩＤを生成し、Ｄ２Ｄ  ＲＢ  ＩＤに対応するＱｏＳ（Ｄ２Ｄ  ＱｏＳ）、ＴＦＴ（Ｄ２Ｄ  ＴＦＴ）を検出する。一方、ｅＮＢ２０からＲＲＣ再設定を受信し、ＵＥ−Ｒ１５がＰｒｏＳｅフラグを検知せず、ｅＮＢ２０とＵＥ−Ｒ１５間の通信路に対するＥＰＳ無線ベアラを更新することを検出した場合、ｅＮＢ２０との通信路に対するＥＰＳ無線ベアラを更新することを検出し、ＵＥ−Ｒ１５はｅＮＢ２０とＥＰＳ無線ベアラを更新する従来の手続きを行う。
【０１６４】
次に、ＵＥ−Ｒ１５は、通信品質の更新を要求するＰｒｏＳｅ専用ベアラをＵＥ１０と生成する（Ｓ１１１２）。ここで、ＵＥ−Ｒ１５はＵＥ１０へＤ２Ｄ  ＲＢ  ＩＤとＤ２Ｄ  ＱｏＳを通知し、ＵＥ１０は、Ｄ２Ｄ  ＲＢ  ＩＤとＤ２Ｄ  ＱｏＳを管理する。ここで、ＵＥ１０は、Ｄ２Ｄ  ＴＦＴを生成し、Ｄ２Ｄ  ＲＢ  ＩＤと関連付けても良い。さらに、生成したＤ２Ｄ  ＴＦＴとアプリケーションを関連付けても良い。なお、ｅＮＢ２０からＲＲＣ再設定を受信し、ＵＥ−Ｒ１５がＰｒｏＳｅフラグを検知せず、ＵＥ−Ｒ１５とＵＥ１０間の直接通信路に対するＤ２Ｄ無線ベアラを更新することを検出しなかった場合、本処理は行わない。
【０１６５】
ＰｒｏＳｅ専用ベアラをＵＥ１０と生成したＵＥ−Ｒ１５は、ＲＲＣ設定完了通知を送信する（Ｓ１１１４）。さらにｅＮＢ２０は、ベアラ変更応答をＭＭＥ３０へ送信する（Ｓ１１１６）。ＭＭＥ３０はベアラ更新応答をＳＧＷ４０へ送信し、ベアラ更新応答を送信し（Ｓ１１１８）、ＳＧＷ４０はベアラ変更応答をＰＧＷ５０へ送信する（Ｓ１１２０）。なお、ＭＭＥ３０は、ＳＧＷ４０へ、ベアラ変更応答を送信するのではなく、ＰＧＷ５０へ直接、ベアラ変更応答を送信しても良い。
【０１６６】
以上の手続きにより、ＵＥ−Ｒ１５とＵＥ１０はＰｒｏＳｅ専用ベアラを生成することができる。専用ベアラは、ＱｏＳの確保が必要となるような特定のアプリケーションと関連付けて利用することにより、アプリケーションのパフォーマンスを向上することができる。また、ＵＥ−Ｒ１５はＵＥ１０からのデータを移動通信ネットワークへ転送する（ＵＥ−ｔｏ−ｎｅｔｗｏｒｋ  ｒｅｌａｙ）ことにより、ＵＥ１０はＵＥ−Ｒ１５経由で移動通信ネットワークに接続することができる。 
【０１６７】
以上により、移動通信事業者は、通信元ＵＥおよび通信先ＵＥがＰｒｏＳｅにおける直接通信に対してＱｏＳを確保したデータの送受信を提供することができる。ＰＧＷ／ＳＧＷがＵＥ間の直接通信における（無線）ベアラを管理することができる。また、ｅＮＢがＵＥ間の直接通信における無線ベアラを管理することができる。さらに、通信元ＵＥ、通信先においてＵＥ間の直接通信における無線ベアラを管理することができる。また、ＵＥ−ｔｏ−Ｎｅｔｗｏｒｋリレーにおいて、リレーＵＥは、カバレッジ外のＵＥと無線ベアラを管理することができる。
【０１６８】
さらに、上記で説明したＰＧＷ／ＳＧＷ、ＭＭＥ、ｅＮＢ、通信元ＵＥ、通信先ＵＥ、リレーＵＥそれぞれにおいて、直接通信における（無線）ベアラを管理し、直接通信のベアラに対してＱｏＳを確保するための手続きを行うことができる。
【０１６９】
また、移動通信ネットワークは従来のデータの送受信を提供しつつ、なるべく少ない変更で、ＰｒｏＳｅにおける直接通信に対するＱｏＳを確保するための手続きを行うことができる。
【０１７０】
［１．３．３  変形例１］
なお、上記では、ＵＥ１０がカバレッジ外、ＵＥ−Ｒ１５がカバレッジ内の端末装置として説明したが、ＵＥ１０がカバレッジ内、ＵＥ−Ｒ１５がカバレッジ内の端末装置としても良い。
【０１７１】
さらに、ＵＥ１０がカバレッジ内、ＵＥ−Ｒ１５がカバレッジ内の場合、ｅＮＢ２０は、ＵＥ１０へＰｒｏＳｅフラグ、ＥＰＳ  ＲＢ  ＩＤ、ＱｏＳ、ＴＦＴを含むＲＲＣ再設定通知を送信しても良い（Ｓ１１１０）。一方、ＵＥ１０は、ｅＮＢ２０からＲＲＣ再設定通知を受信し、ＰｒｏＳｅフラグを検知したＵＥ１０は、ＵＥ−Ｒ１５とＵＥ１０間の直接通信路に対するＤ２Ｄ無線ベアラを更新することを検出する。ＵＥ−Ｒ１５とＵＥ１０間の直接通信路に対するＤ２Ｄ無線ベアラを更新することを検出したＵＥ１０は、ＵＥ−Ｒ１５とＰｒｏＳｅ専用ベアラを生成する（Ｓ１１１２）。なお、ＵＥ１０は、ＵＥ-Ｒ１５へＤ２Ｄ  ＲＢ  ＩＤとＤ２Ｄ  ＱｏＳを通知する。
【０１７２】
ここで、ｅＮＢ２０からＲＲＣ再設定を受信し、ＵＥ１０がＰｒｏＳｅフラグを検知せず、ｅＮＢ２０とＵＥ１０間の通信路に対するＥＰＳ無線ベアラを更新することを検出した場合、ｅＮＢ２０との通信路に対するＥＰＳ無線ベアラを更新することを検出し、ＵＥ１０はｅＮＢ２０とＥＰＳ無線ベアラを更新する従来の手続きを行う。
【０１７３】
ＵＥ１０は、ＵＥ１０とＵＥ−Ｒ１５間のＤ２Ｄ無線ベアラを更新するまたは、ｅＮＢ２０とＵＥ１０間の通信路に対するＥＰＳ無線ベアラを更新した場合、ＵＥ１０はｅＮＢ２０へＲＲＣ設定完了を通知する（Ｓ１１１４）。これ以外の手続きは、第１の実施形態で説明した方法と同様の手続きである。
【０１７４】
［１．３．４  変形例２］
さらに、以上の説明ではｅＮＢ２０はカバレッジ内に存在するＵＥ−Ｒ１５とＵＥ１０のいずれかにＲＲＣ再設定通知を送信していたが、ＵＥ１０へＰｒｏＳｅフラグ、ＥＰＳ  ＲＢ  ＩＤ、ＱｏＳ、ＴＦＴを含むＲＲＣ再設定通知を送信し、ＵＥ−Ｒ１５へＰｒｏＳｅフラグ、ＥＰＳ  ＲＢ  ＩＤ、ＱｏＳ、ＴＦＴを含むＲＲＣ再設定通知を送信してもよい（Ｓ１１１０）。ＵＥ１０は、ｅＮＢ２０からＲＲＣ再設定通知を受信し、ＰｒｏＳｅフラグを検知したＵＥ１０は、ＵＥ−Ｒ１５とＵＥ１０間の直接通信路に対するＤ２Ｄ無線ベアラを更新することを検出する。ＵＥ―Ｒ１５は、ｅＮＢ２０からＲＲＣ再設定通知を受信し、ＰｒｏＳｅフラグを検知したＵＥ―Ｒ１５は、ＵＥ−Ｒ１５とＵＥ１０間の直接通信路に対するＤ２Ｄ無線ベアラを更新することを検出する。
【０１７５】
ＵＥ−Ｒ１５とＵＥ１０間の直接通信路に対するＤ２Ｄ無線ベアラを更新することを検出したＵＥ１０とＵＥ−Ｒ１５は、ＰｒｏＳｅ専用ベアラを生成する（Ｓ１１１２）。なお、ＵＥ１０とＵＥ−Ｒ１５は、互いにＤ２Ｄ  ＲＢ  ＩＤとＤ２Ｄ  ＱｏＳを通知しても良い。
【０１７６】
ここで、ＵＥ１０は、ｅＮＢ２０からＲＲＣ再設定を受信し、ＵＥ１０がＰｒｏＳｅフラグを検知せず、ｅＮＢ２０とＵＥ１０間の通信路に対するＥＰＳ無線ベアラを更新することを検出した場合、ＵＥ１０はｅＮＢ２０とＥＰＳ無線ベアラを更新する従来の手続きを行う。また、ＵＥ−Ｒ１５は、ｅＮＢ２０からＲＲＣ再設定を受信し、ＵＥ―Ｒ１５がＰｒｏＳｅフラグを検知せず、ｅＮＢ２０とＵＥ―Ｒ１５間の通信路に対するＥＰＳ無線ベアラを更新することを検出した場合、ＵＥ―Ｒ１５はｅＮＢ２０とＥＰＳ無線ベアラを更新する従来の手続きを行う。
【０１７７】
ＵＥ１０は、ＵＥ１０とＵＥ−Ｒ１５間のＤ２Ｄ無線ベアラを更新するまたは、ｅＮＢ２０とＵＥ１０間の通信路に対するＥＰＳ無線ベアラを更新した場合、ＵＥ１０はｅＮＢ２０へＲＲＣ設定完了を通知する（Ｓ１１１４）。一方、ＵＥ―Ｒ１５は、ＵＥ１０とＵＥ−Ｒ１５間のＤ２Ｄ無線ベアラを更新するまたは、ｅＮＢ２０とＵＥ―Ｒ１５間の通信路に対するＥＰＳ無線ベアラを更新した場合、ＵＥ―Ｒ１５はｅＮＢ２０へＲＲＣ設定完了を通知する（Ｓ１１１４）。ｅＮＢ２０は、ＵＥ１０およびＵＥ−Ｒ１５からＲＲＣ設定完了通知を受信することで、ＵＥ１０とＵＥ−Ｒ１５間でＰｒｏＳｅ専用ベアラの生成または、ｅＮＢ２０とＵＥ−Ｒ１５間およびｅＮＢ２０とＵＥ１０間でＲＲＣ再設定が完了したことを検知する。これ以外の手続きは、第１の実施形態で説明した方法と同様の手続きである。
【０１７８】
［２．  第２実施形態］
［２．１  移動通信システムの概要］
続いて、第２実施形態について説明する。第２実施形態は、ＱｏＳ更新手続きが異なる。第１実施形態では、ｅＮＢ２０が関与するＱｏＳ更新手続きであったが、本実施形態では、ｅＮＢ２０が関与しないＱｏＳ更新手続きとなっている。
【０１７９】
図１における移動通信システムの構成を利用することができるため、その詳細な説明を省略する。また、移動通信システムにおけるＵＥの構成やＵＥ−Ｒの構成、ｅＮＢの構成、ＭＭＥの構成、ＳＧＷ４０の構成、ＰＧＷ５０の構成も同様であるため、その詳細な説明を省略する。また、ＵＥ−ｔｏ−Ｎｅｔｗｏｒｋ  ＲｅｌａｙにおけるＰＤＮ接続確立手続きは同様であるため、その詳細な説明を省略する。
【０１８０】
図１５に、本実施形態におけるＰＧＷ５０／ＳＧＷ４０とｅＮＢ２０とＵＥ−Ｒ１５とＵＥ１０において、Ｄ２Ｄ無線ベアラとＥＰＳ無線ベアラとＥＰＳベアラの関係を示す。
【０１８１】
ＰＧＷ５０／ＳＧＷ４０はデータの送受信のために、ＥＰＳベアラＩＤを管理している。なお、ＰＧＷ５０は下りリンクデータの送信のために、ＴＦＴを管理している。ＭＭＥ３０はＥＰＳベアラＩＤとＤ２Ｄ  ＲＢ  ＩＤを関連付けて管理している。ＵＥ−Ｒ１５はＤ２Ｄ  ＲＢ  ＩＤを管理している。ＵＥ１０はＤ２Ｄ  ＲＢ  ＩＤを管理している。なお、ＵＥ１０は上りリンクデータの送信のために、Ｄ２Ｄ  ＴＦＴ（ＴＦＴ）を管理している。
【０１８２】
図１５の関係を利用して、ＰＧＷ５０からＵＥ１０へデータを送信する場合の流れを説明する。まず、ＰＧＷ５０は、ＥＰＳベアラＩＤを管理し、ＴＦＴに従って、ＥＰＳベアラＩＤを選択し、ＰＧＷ５０はＳＧＷ４０へデータを送信する。ＳＧＷ４０は、ｅＮＢ２０へＰＧＷ５０からのデータをＥＰＳベアラＩＤに応じて転送する。
【０１８３】
次に、ｅＮＢ２０はＳＧＷ４０からのデータをＥＰＳベアラＩＤに応じてＵＥ−Ｒ１５へ転送する。このとき、ｅＮＢ２０は、ＳＧＷ４０からデータに含められるＥＰＳベアラＩＤにより、ＥＰＳベアラＩＤとＥＰＳ  ＲＢ  ＩＤのマッピングテーブル２４９からＥＰＳ  ＲＢ  ＩＤを解決し、ＥＰＳ  ＲＢ  ＩＤに応じてデータをＵＥ−Ｒ１５に転送する。
【０１８４】
一方、ＵＥ−Ｒ１５は、ｅＮＢ２０からのデータをＭＭＥ３０からのＤ２Ｄ  ＲＢ  ＩＤに応じてＵＥ１０へＰｒｏＳｅにおける直接通信を利用して転送する。このとき、ＵＥ−Ｒ１５は、ＭＭＥ３０からのＤ２Ｄ  ＲＢ  ＩＤに応じてデータをＵＥ１０に転送する。
【０１８５】
以上により、ＰＧＷ５０はＳＧＷ４０、ｅＮＢ２０、ＵＥ−Ｒ１５を経由して、ＵＥ１０へデータを送信することができる。なお、ＵＥ−Ｒ１５はＵＥ１０を独自に管理し、必要に応じてｅＮＢ２０からのデータをＵＥ１０へ転送する。ＵＥ−Ｒ１５がＵＥ１０を管理する方法は種々の方法が考えられるが、例えば、アプリケーションにＵＥ１０を示す情報が含まれている場合には、ＵＥ１０へ転送しても良い。さらに、ＵＥ−Ｒ１５は、アプリケーションに、ＵＥ−Ｒ１５と同じグループに属していることを示す情報（例えば、グループＩＤ）が含まれている場合に、ＵＥ１０へ転送しても良い。
【０１８６】
また、図１５の関係を利用して、ＵＥ１０からＰＧＷ５０へデータを送信する場合の流れを説明する。まず、ＵＥ１０は、Ｄ２Ｄ  ＴＦＴに従って、Ｄ２Ｄ  ＲＢ  ＩＤを選択し、ＵＥ１０はＵＥ−Ｒ１５へデータを送信する。ＵＥ−Ｒ１５は、ＵＥ１０からのデータをＵＥ−Ｒ１５宛でないことを検出し、ｅＮＢ２０へＵＥ１０からのデータをＤ２Ｄ  ＲＢ  ＩＤに応じて転送する。このとき、ＵＥ−Ｒ１５は、ＵＥ１０からデータに含められるＤ２Ｄ  ＲＢ  ＩＤにより、Ｄ２Ｄ  ＲＢ  ＩＤとＥＰＳ  ＲＢ  ＩＤのマッピングテーブルからＥＰＳ  ＲＢ  ＩＤを解決し、ＥＰＳ  ＲＢ  ＩＤに応じてデータをｅＮＢ２０に転送する。
【０１８７】
次に、ｅＮＢ２０はＵＥ−Ｒ１５からのデータをＥＰＳ  ＲＢ  ＩＤに応じてＳＧＷ４０へ転送する。このとき、ｅＮＢ２０は、ＵＥ−Ｒ１５からデータに含められるＥＰＳ  ＲＢ  ＩＤにより、ＥＰＳベアラＩＤとＥＰＳ  ＲＢ  ＩＤのマッピングテーブル２４９からＥＰＳベアラＩＤを解決し、ＥＰＳベアラＩＤに応じてデータをＳＧＷ４０に転送する。
【０１８８】
次に、ＳＧＷ４０は、ｅＮＢ２０からのデータをＥＰＳベアラＩＤに応じてＰＧＷ５０へ転送する。
【０１８９】
以上により、ＵＥ１０はＵＥ−Ｒ１５、ｅＮＢ２０、ＳＧＷ４０を経由して、ＰＧＷ５０へデータを送信することができる。なお、ＰＧＷ５０は、ＵＥ１０のデータをＰＤＮ８０へ転送する。
【０１９０】
[２．２  処理の説明]
[２．２．１  ＱｏＳ更新手続き]
図１６を用いて、本実施形態におけるＱｏＳ更新手続きについて説明する。まず、ＰＧＷ５０は、ＵＥ１０へ特定ベアラを確立するために、ＰＣＣからＱｏＳ更新をトリガーされる（Ｓ１２０２）。
【０１９１】
ＰＣＣからＱｏＳトリガーを受けたＰＧＷ５０は、通信品質の更新を要求するベアラ更新要求をＳＧＷ４０へ送信し（Ｓ１２０４）、ＳＧＷ４０はＭＭＥ３０へ通信品質の更新を要求するベアラ更新要求を送信する（Ｓ１２０６）。ここで、ベアラ更新要求には、ＰｒｏＳｅフラグ、ＥＰＳベアラＩＤ、ＱｏＳ、ＴＦＴを含める。なお、ＰｒｏＳｅフラグは、ＵＥ１０とＵＥ−Ｒ１５間の直接通信路に対するＤ２Ｄ無線ベアラを生成／更新を示すための情報である。ＰｒｏＳｅフラグは、ＵＥ１０とＵＥ−Ｒ１５間の直接通信路に対するＤ２Ｄ無線ベアラを生成／更新を示すための情報であれば、ＰｒｏＳｅ  ｉｎｄｉｃａｔｏｒやＲｅｌａｙ  ｉｎｄｉｃａｔｏｒ、ＰｒｏＳｅ  Ｒｅｌａｙフラグなどでも良い。ここで、ＵＥ１０とＵＥ−Ｒ１５間の直接通信路に対するＤ２Ｄ無線ベアラを生成／更新せず、ｅＮＢ２０とＵＥ−Ｒ１５間の通信路に対するＥＰＳ無線ベアラを生成／更新する場合には、ＰｒｏＳｅフラグを含まなくて良い。また、ＰＧＷ５０は、ＳＧＷ４０へＥＰＳベアラ更新要求を送信し、ＳＧＷ４０はＭＭＥ３０へベアラ更新要求を送信しているが、ＰＧＷ５０がＭＭＥ３０へ直接送信しても良い。
【０１９２】
ベアラ更新要求を受信したＭＭＥ３０は、ＰｒｏＳｅフラグを検知し、ＵＥ１０とＵＥ−Ｒ１５間に対するＤ２Ｄ無線ベアラを生成／更新することを検出する。ここで、ＭＭＥ３０は、ＰｒｏＳｅフラグを検知できなかった場合には、ＵＥ１０とＵＥ−Ｒ１５間の直接通信路に対するＤ２Ｄ無線ベアラを生成／更新するのではなく、ｅＮＢ２０とＵＥ−Ｒ１５間のＥＰＳ無線ベアラを生成／更新することを検出する。
【０１９３】
次に、ＭＭＥ３０は、通信品質の更新を要求するベアラ更新要求をＵＥ−Ｒ１５へ送信する（Ｓ１２０８）。ここで、ベアラ変更要求には、ＰｒｏＳｅフラグ、Ｄ２Ｄ  ＲＢ  ＩＤ、ＱｏＳ、ＴＦＴを含める。なお、ＰｒｏＳｅフラグは、ＵＥ１０とＵＥ−Ｒ１５間の直接通信路に対するＤ２Ｄ無線ベアラを生成／更新させるための情報である。また、ＰｒｏＳｅフラグはＵＥ１０とＵＥ−Ｒ１５間の直接通信路に対するＤ２Ｄ無線ベアラを生成／更新を示すための情報であれば、ＰｒｏＳｅ  ｉｎｄｉｃａｔｏｒやＲｅｌａｙ  ｉｎｄｉｃａｔｏｒ、ＰｒｏＳｅ  Ｒｅｌａｙフラグなどでも良い。ここで、ＵＥ１０とＵＥ−Ｒ１５間の直接通信路に対するＤ２Ｄ無線ベアラを生成／更新せず、ｅＮＢ２０とＵＥ−Ｒ１５間の通信路に対するＥＰＳ無線ベアラを生成／更新する場合には、ＰｒｏＳｅフラグを含まなくて良い。
【０１９４】
なお、ＭＭＥ３０はＥＰＳベアラコンテキスト３４２でＤ２Ｄ  ＲＢ  ＩＤを管理し、ＵＥ−Ｒ１５へ通知しても良いし、ＥＰＳベアラＩＤをＵＥ−Ｒ１５とＵＥ１０間のＤ２Ｄ  ＲＢ  ＩＤとして利用しても良い。さらに、ＱｏＳはＥＰＳベアラコンテキスト３４２で、ベアラ専用の通信品質に関する情報としてＤ２Ｄ  ＱｏＳを管理し、ＵＥ−Ｒ１５へ通知してもよいし、ＱｏＳをＤ２Ｄ  ＱｏＳとして利用しても良い。また、ＴＦＴはＥＰＳベアラコンテキスト３４２で、ベアラ専用の通信品質に関する情報としてＤ２Ｄ  ＴＦＴを管理し、ＵＥ−Ｒ１５へ通知してもよいし、ＴＦＴをＤ２Ｄ  ＴＦＴとして利用しても良い。
【０１９５】
ＭＭＥ３０からベアラ更新要求を受信し、ＰｒｏＳｅフラグを検知したＵＥ−Ｒ１５は、ＵＥ−Ｒ１５とＵＥ１０間の直接通信路に対するＤ２Ｄ無線ベアラを更新することを検出する。一方、ＭＭＥ３０からベアラ更新要求を受信し、ＵＥ−Ｒ１５がＰｒｏＳｅフラグを検知しなかった場合、ＵＥ−Ｒ１５とＵＥ１０間の直接通信路に対するＤ２Ｄ無線ベアラを更新するのではなく、ｅＮＢ２０との通信路に対するＥＰＳ無線ベアラを更新することを検出し、ＵＥ−Ｒ１５はｅＮＢ２０とＥＰＳ無線ベアラを更新する従来の手続きを行う。
【０１９６】
また、ＵＥ−Ｒ１５はＥＰＳ  ＲＢ  ＩＤに対応するＱｏＳ、ＴＦＴを検出する。ここで、ＵＥ−Ｒ１５は、ＥＰＳベアラＩＤからＥＰＳ  ＲＢ  ＩＤを生成する。さらに、ＵＥ−Ｒ１５は、Ｄ２Ｄ  ＲＢ  ＩＤとＥＰＳ  ＲＢ  ＩＤのマッピングテーブル１５４９にＤ２Ｄ  ＲＢ  ＩＤおよび、ＥＰＳ  ＲＢ  ＩＤを含める。
【０１９７】
次に、ＵＥ−Ｒ１５は、通信品質の更新を要求するＰｒｏＳｅ専用ベアラをＵＥ１０と生成する（Ｓ１２１２）。さらに、ＵＥ―Ｒ１５は、ＲＲＣ再設定通知に含まれるＤ２Ｄ  ＲＢ  ＩＤを検出する。ここで、ＵＥ−Ｒ１５はＵＥ１０へＤ２Ｄ  ＲＢ  ＩＤとＱｏＳを通知し、ＵＥ１０は、Ｄ２Ｄ  ＲＢ  ＩＤとＱｏＳ（Ｄ２Ｄ  ＱｏＳ）を管理する。なお、ＵＥ−Ｒ１５は、ｅＮＢ２０とすでに確立しているＥＰＳ無線ベアラにおけるＥＰＳ  ＲＢ  ＩＤとＥＰＳ  ＲＢ  ＩＤのマッピングテーブル１５４９に含めても良い。また、ＵＥ１０は、Ｄ２Ｄ  ＴＦＴを生成し、Ｄ２Ｄ  ＲＢ  ＩＤと関連付けても良い。さらに、生成したＤ２Ｄ  ＴＦＴとアプリケーションを関連付けても良い。なお、ｅＮＢ２０からＲＲＣ再設定を受信し、ＵＥ−Ｒ１５がＵＥ−Ｒ１５とＵＥ１０間の直接通信路に対するＤ２Ｄ無線ベアラを更新することを検知しなかった場合、本処理は行わない。
【０１９８】
ＰｒｏＳｅ専用ベアラをＵＥ１０と生成したＵＥ−Ｒ１５は、ベアラ更新応答をＭＭＥ３０へ送信する（Ｓ１２１４）。ＭＭＥ３０はベアラ更新応答をＳＧＷ４０へ送信（Ｓ１２１６）し、ＳＧＷ４０はベアラ更新応答をＰＧＷ５０へ送信する（Ｓ１２１８）。なお、ＭＭＥ３０は、ＳＧＷ４０へ、ベアラ更新応答を送信するのではなく、ＰＧＷ５０へ直接、ベアラ更新応答を送信しても良い。
【０１９９】
以上の手続きにより、ＵＥ−Ｒ１５とＵＥ１０はＰｒｏＳｅ専用ベアラを生成することができる。専用ベアラは、ＱｏＳの確保が必要となるような特定のアプリケーションと関連付けて利用することにより、アプリケーションのパフォーマンスを向上することができる。また、ＵＥ−Ｒ１５はＵＥ１０からのデータを移動通信ネットワークへ転送する（ＵＥ−ｔｏ−ｎｅｔｗｏｒｋ  ｒｅｌａｙ）ことにより、ＵＥ１０はＵＥ−Ｒ１５経由で移動通信ネットワークに接続することができる。
【０２００】
以上により、移動通信事業者は、通信元ＵＥおよび通信先ＵＥがＰｒｏＳｅにおける直接通信に対してＱｏＳを確保したデータの送受信を提供することができる。ＰＧＷ／ＳＧＷがＵＥ間の直接通信における（無線）ベアラを管理することができる。また、ｅＮＢがＵＥ間の直接通信における無線ベアラを管理することができる。さらに、通信元ＵＥ、通信先においてＵＥ間の直接通信における無線ベアラを管理することができる。また、ＵＥ−ｔｏ−Ｎｅｔｗｏｒｋリレーにおいて、リレーＵＥは、カバレッジ外のＵＥと無線ベアラを管理することができる。
【０２０１】
さらに、上記で説明したＰＧＷ／ＳＧＷ、ＭＭＥ、ｅＮＢ、通信元ＵＥ、通信先ＵＥ、リレーＵＥそれぞれにおいて、直接通信における（無線）ベアラを管理し、直接通信のベアラに対してＱｏＳを確保するための手続きを行うことができる。
【０２０２】
また、移動通信ネットワークは従来のデータの送受信を提供しつつ、なるべく少ない変更で、ＰｒｏＳｅにおける直接通信に対するＱｏＳを確保するための手続きを行うことができる。
【０２０３】
［２．２．２  変形例３］
なお、上記では、ＵＥ１０がカバレッジ外、ＵＥ−Ｒ１５がカバレッジ内の端末装置として説明したが、ＵＥ１０がカバレッジ内、ＵＥ−Ｒ１５がカバレッジ内の端末装置としても良い。
【０２０４】
さらに、ＵＥ１０がカバレッジ内、ＵＥ−Ｒ１５がカバレッジ内の場合、ＭＭＥ３０は、ＵＥ１０へＰｒｏＳｅフラグ、Ｄ２Ｄ  ＲＢ  ＩＤ、ＱｏＳ、ＴＦＴを含むベアラ更新要求を送信しても良い（Ｓ１２０８）。一方、ＵＥ１０は、ＭＭＥ３０からベアラ更新要求を受信し、ＰｒｏＳｅフラグを検知したＵＥ１０は、ＵＥ−Ｒ１５とＵＥ１０間の直接通信路に対するＤ２Ｄ無線ベアラを更新することを検出する。ＵＥ−Ｒ１５とＵＥ１０間の直接通信路に対するＤ２Ｄ無線ベアラを更新することを検出したＵＥ１０は、ＵＥ−Ｒ１５とＰｒｏＳｅ専用ベアラを生成する（Ｓ１２１２）。なお、ＵＥ１０は、ＵＥ−Ｒ１５へＤ２Ｄ  ＲＢ  ＩＤとＤ２Ｄ  ＱｏＳを通知する。
【０２０５】
ここで、ＭＭＥ３０からＲＲＣ再設定を受信し、ＵＥ１０がＰｒｏＳｅフラグを検知せず、ｅＮＢ２０とＵＥ１０間の通信路に対するＥＰＳ無線ベアラを更新することを検出した場合、ｅＮＢ２０との通信路に対するＥＰＳ無線ベアラを更新することを検出し、ＵＥ１０はｅＮＢ２０とＥＰＳ無線ベアラを更新する従来の手続きを行う。
【０２０６】
ＵＥ１０は、ＵＥ１０とＵＥ−Ｒ１５間のＤ２Ｄ無線ベアラを更新するまたは、ｅＮＢ２０とＵＥ１０間の通信路に対するＥＰＳ無線ベアラを更新した場合、ＵＥ１０はＭＭＥ３０へベアラ更新応答を通知する（Ｓ１２１４）。これ以外の手続きは、第２の実施形態で説明した方法と同様の手続きである。
【０２０７】
［２．２．３  変形例４］
さらに、以上の説明ではＭＭＥ３０はカバレッジ内に存在するＵＥ−Ｒ１５とＵＥ１０のいずれかにベアラ更新要求を送信していたが、ＵＥ１０へＰｒｏＳｅフラグ、ＥＰＳ  ＲＢ  ＩＤ、ＱｏＳ、ＴＦＴを含むベアラ更新要求を送信し、ＵＥ−Ｒ１５へＰｒｏＳｅフラグ、ＥＰＳ  ＲＢ  ＩＤ、ＱｏＳ、ＴＦＴを含むベアラ更新要求を送信してもよい（Ｓ１２０８）。ＵＥ１０は、ＭＭＥ３０からベアラ更新要求を受信し、ＰｒｏＳｅフラグを検知したＵＥ１０は、ＵＥ−Ｒ１５とＵＥ１０間の直接通信路に対するＤ２Ｄ無線ベアラを更新することを検出する。ＵＥ―Ｒ１５は、ＭＭＥ３０からベアラ更新要求を受信し、ＰｒｏＳｅフラグを検知したＵＥ―Ｒ１５は、ＵＥ−Ｒ１５とＵＥ１０間の直接通信路に対するＤ２Ｄ無線ベアラを更新することを検出する。
【０２０８】
ＵＥ−Ｒ１５とＵＥ１０間の直接通信路に対するＤ２Ｄ無線ベアラを更新することを検出したＵＥ１０とＵＥ−Ｒ１５は、ＰｒｏＳｅ専用ベアラを生成する（Ｓ１２１２）。なお、ＵＥ１０とＵＥ−Ｒ１５は、互いにＤ２Ｄ  ＲＢ  ＩＤとＤ２Ｄ  ＱｏＳを通知しても良い。
【０２０９】
ここで、ＵＥ１０は、ＭＭＥ３０からベアラ更新要求を受信し、ＵＥ１０がＰｒｏＳｅフラグを検知せず、ｅＮＢ２０とＵＥ１０間の通信路に対するＥＰＳ無線ベアラを更新することを検出した場合、ＵＥ１０はｅＮＢ２０とＥＰＳ無線ベアラを更新する従来の手続きを行う。また、ＵＥ−Ｒ１５は、ＭＭＥ３０からベアラ更新要求を受信し、ＵＥ―Ｒ１５がＰｒｏＳｅフラグを検知せず、ｅＮＢ２０とＵＥ―Ｒ１５間の通信路に対するＥＰＳ無線ベアラを更新することを検出した場合、ＵＥ―Ｒ１５はｅＮＢ２０とＥＰＳ無線ベアラを更新する従来の手続きを行う。
【０２１０】
ＵＥ１０は、ＵＥ１０とＵＥ−Ｒ１５間のＤ２Ｄ無線ベアラを更新するまたは、ｅＮＢ２０とＵＥ１０間の通信路に対するＥＰＳ無線ベアラを更新した場合、ＵＥ１０はＭＭＥ３０へベアラ更新応答を送信する（Ｓ１２１４）。一方、ＵＥ―Ｒ１５は、ＵＥ１０とＵＥ−Ｒ１５間のＤ２Ｄ無線ベアラを更新するまたは、ｅＮＢ２０とＵＥ―Ｒ１５間の通信路に対するＥＰＳ無線ベアラを更新した場合、ＵＥ―Ｒ１５はＭＭＥ３０へベアラ更新応答を送信する（Ｓ１２１４）。ＭＭＥ３０は、ＵＥ１０およびＵＥ−Ｒ１５からベアラ更新応答を受信することで、ＵＥ１０とＵＥ−Ｒ１５間でＰｒｏＳｅ専用ベアラの生成または、ｅＮＢ２０とＵＥ−Ｒ１５間およびｅＮＢ２０とＵＥ１０間でＲＲＣ再設定が完了したことを検知する。これ以外の手続きは、第２の実施形態で説明した方法と同様の手続きである。
【０２１１】
［３．  第３実施形態］
続いて、第３実施形態について説明する。第３実施形態は、ＱｏＳ更新手続きが異なる。第１実施形態、第２実施形態では、ＰＧＷ５０主導でＱｏＳ更新手続きが開始されていたが、本実施形態では、ＨＳＳ主導でＱｏＳ更新手続きを行う。
【０２１２】
図１における移動通信システムの構成を利用することができるため、その詳細な説明を省略する。また、移動通信システムにおけるＵＥの構成やＵＥ−Ｒの構成、ｅＮＢの構成、ＭＭＥの構成、ＳＧＷ４０の構成、ＰＧＷ５０の構成も同様であるため、その詳細な説明を省略する。また、ＵＥ−ｔｏ−Ｎｅｔｗｏｒｋ  ＲｅｌａｙにおけるＰＤＮ接続確立手続きは同様であるため、その詳細な説明を省略する。なお、ＨＳＳ６０は、従来の移動通信ネットワーク５にと同様の構成であるため、詳細な説明を省略する。
【０２１３】
[３．１  処理の説明]
[３．１．１  ＱｏＳ更新手続き]
図１７を用いて、本実施形態におけるＱｏＳ更新手続きについて説明する。  まず、ＨＳＳ６０は、契約者データが更新されたことを検知して、ＭＭＥ３０へＵＥ−Ｒ１５およびＵＥ１０における契約者データの挿入を通知する（Ｓ１３０２）。一方、ＭＭＥ３０はＨＳＳ６０からの契約者データの挿入を検知して、契約者データの挿入応答を返信する（Ｓ１３０４）。ＭＭＥ３０はＨＳＳ６０からの契約者データの挿入により、ＱｏＳ更新を開始する。
【０２１４】
続いて、ＭＭＥ３０は契約者データの更新に基づいて、ＵＥ−Ｒ１５およびＵＥ１０におけるＵＥコンテキストの更新を行う（Ｓ１３０６）。ＭＭＥ３０はＵＥ−Ｒ１５およびＵＥ１０におけるＵＥコンテキストの更新をｅＮＢ２０に通知し、ｅＮＢ２０はＵＥコンテキストを更新する。
【０２１５】
ベアラ更新要求を受信したＭＭＥ３０は、ＰｒｏＳｅフラグを検知し、ＵＥ１０とＵＥ−Ｒ１５間に対するＤ２Ｄ無線ベアラを生成／更新することを検出する。ここで、ＭＭＥ３０は、ＰｒｏＳｅフラグを検知できなかった場合には、ＵＥ１０とＵＥ−Ｒ１５間の直接通信路に対するＤ２Ｄ無線ベアラを生成／更新するのではなく、ｅＮＢ２０とＵＥ−Ｒ１５間のＥＰＳ無線ベアラを生成／更新することを検出する。
【０２１６】
次に、ＭＭＥ３０は、ベアラ変更命令をＳＧＷ４０へ送信し（Ｓ１３０８）、ＳＧＷ４０はＰＧＷ５０へベアラ変更命令を送信する（Ｓ１３１０）。なお、ベアラ変更命令には、ＵＥ１０とＵＥ−Ｒ１５間のＱｏＳを変更することを示す情報を含めても良い。
【０２１７】
ＳＧＷ４０からベアラ変更命令を受信したＰＧＷ５０は、ＵＥ１０とＵＥ−Ｒ１５間のベアラ変更であることを検知する。ベアラ変更を検知したＰＧＷ５０はＳＧＷ４０へベアラ更新要求を送信し（Ｓ１３１２）、ＳＧＷ４０はベアラ更新要求をＭＭＥ３０へ送信する（Ｓ１３１４）。ここで、ベアラ更新要求には、ＰｒｏＳｅフラグ、ＥＰＳベアラＩＤ、ＱｏＳ、ＴＦＴを含める。なお、ＰｒｏＳｅフラグは、ＵＥ１０とＵＥ−Ｒ１５間のＤ２Ｄ無線ベアラを生成／更新を示すための情報である。ＰｒｏＳｅフラグは、ＵＥ１０とＵＥ−Ｒ１５間のＤ２Ｄ無線ベアラを生成／更新を示すための情報であれば、ＰｒｏＳｅ  ｉｎｄｉｃａｔｏｒやＲｅｌａｙ  ｉｎｄｉｃａｔｏｒ、ＰｒｏＳｅ  Ｒｅｌａｙフラグなどでも良い。また、ＰＧＷ５０は、ＳＧＷ４０へＥＰＳベアラ更新要求を送信し、ＳＧＷ４０はＭＭＥ３０へベアラ更新要求を送信しているが、ＰＧＷ５０がＭＭＥ３０へ直接送信しても良い。
【０２１８】
なお、Ｓ１３０８からＳ１３１４からの手続きはＭＭＥ３０が、ＵＥ−Ｒ１５およびＵＥ１０間のＰｒｏＳｅにおける直接通信に対するベアラ（Ｄ２Ｄ無線ベアラ）であることを検知している場合には、行わなくても良い。
【０２１９】
次に、ＭＭＥ３０は、通信品質の更新を要求するベアラ変更要求をｅＮＢ２０へ送信する（Ｓ１３１６）。ここで、ベアラ変更要求には、ＰｒｏＳｅフラグ、ＥＰＳベアラＩＤ、ＱｏＳ、ＴＦＴを含める。なお、ＰｒｏＳｅフラグは、ＵＥ１０とＵＥ−Ｒ１５間の直接通信路に対するＤ２Ｄ無線ベアラを生成／更新させるための情報である。また、ＰｒｏＳｅフラグは、ＵＥ１０とＵＥ−Ｒ１５間のＤ２Ｄ無線ベアラを生成／更新させるための情報であれば、ＰｒｏＳｅ  ｉｎｄｉｃａｔｏｒやＲｅｌａｙ  ｉｎｄｉｃａｔｏｒ、ＰｒｏＳｅ  Ｒｅｌａｙフラグなどでも良い。ここで、ＵＥ１０とＵＥ−Ｒ１５間の直接通信路に対するＤ２Ｄ無線ベアラを生成／更新せず、ｅＮＢ２０とＵＥ−Ｒ１５間の通信路に対するＥＰＳ無線ベアラを生成／更新する場合には、ＰｒｏＳｅフラグを含まなくて良い。
【０２２０】
ＭＭＥ３０からベアラ変更要求を受信したｅＮＢ２０は、ベアラ変更要求に含まれるＰｒｏＳｅフラグを検知して、ｅＮＢ２０とＵＥ−Ｒ１５間のＥＰＳ無線ベアラを変更するのではなく、ＵＥ−Ｒ１５とＵＥ１０間のＤ２Ｄ無線ベアラを更新することを検出する。また、ｅＮＢ２０はＥＰＳ  ＲＢ  ＩＤに対応するＱｏＳ、ＴＦＴを検出する。ここで、ｅＮＢ２０は、ＥＰＳベアラＩＤからＥＰＳ  ＲＢ  ＩＤを生成する。さらに、ｅＮＢ２０は、ＥＰＳベアラＩＤとＥＰＳ  ＲＢ  ＩＤのマッピングテーブル２４９にＥＰＳベアラＩＤおよび、ＥＰＳ  ＲＢ  ＩＤを含める。
【０２２１】
次に、ｅＮＢ２０は、ＵＥ−Ｒ１５とＵＥ１０とのＤ２Ｄ無線ベアラ更新のために通信品質の更新を要求するＲＲＣ再設定通知を送信する（Ｓ１３１８）。ここで、ＲＲＣ再設定には、ＥＰＳ  ＲＢ  ＩＤ、ＱｏＳを含める。なお、ＭＭＥ３０からベアラ変更要求にＰｒｏＳｅフラグが含まれていることにより、ＰｒｏＳｅフラグおよびＴＦＴを含める。なお、ＰｒｏＳｅフラグは、ＵＥ１０とＵＥ−Ｒ１５間の直接通信路に対するＤ２Ｄ無線ベアラを生成／更新を示すための情報であれば、ＰｒｏＳｅ  ｉｎｄｉｃａｔｏｒやＲｅｌａｙ  ｉｎｄｉｃａｔｏｒ、ＰｒｏＳｅ  Ｒｅｌａｙフラグなどでも良い。ここで、ＵＥ１０とＵＥ−Ｒ１５間の直接通信路に対するＤ２Ｄ無線ベアラを生成／更新せず、ｅＮＢ２０とＵＥ−Ｒ１５間の通信路に対するＥＰＳ無線ベアラを生成／更新する場合には、ＰｒｏＳｅフラグおよびＴＦＴを含まなくて良い。
【０２２２】
ｅＮＢ２０からＲＲＣ再設定を受信し、ＰｒｏＳｅフラグを検知したＵＥ−Ｒ１５は、ｅＮＢ２０とのＥＰＳ無線ベアラを更新するのではなく、ＵＥ−Ｒ１５とＵＥ１０間の直接通信路に対するＤ２Ｄ無線ベアラを更新することを検出する。ＵＥ−Ｒ１５はＤ２Ｄ  ＲＢ  ＩＤを生成し、Ｄ２Ｄ  ＲＢ  ＩＤに対応するＱｏＳ（Ｄ２Ｄ  ＱｏＳ）、ＴＦＴ（Ｄ２Ｄ  ＴＦＴ）を検出する。一方、ｅＮＢ２０からＲＲＣ再設定を受信し、ＵＥ−Ｒ１５がＰｒｏＳｅフラグを検知しなかった場合、ＵＥ−Ｒ１５とＵＥ１０間の直接通信路に対するＤ２Ｄ無線ベアラを更新するのではなく、ｅＮＢ２０との通信路に対するＥＰＳ無線ベアラを更新することを検出し、ＵＥ−Ｒ１５はｅＮＢ２０とＥＰＳ無線ベアラを更新する従来の手続きを行う。
【０２２３】
次に、ＵＥ−Ｒ１５は、通信品質の更新を要求するＰｒｏＳｅ専用ベアラ通知メッセージをＵＥ１０へ送信し、ＰｒｏＳｅ専用ベアラをＵＥ１０と生成する（Ｓ１３２０）。ここで、ＵＥ−Ｒ１５はＵＥ１０へＤ２Ｄ  ＲＢ  ＩＤとＱｏＳを通知し、ＵＥ１０は、Ｄ２Ｄ  ＲＢ  ＩＤとＤ２Ｄ  ＱｏＳを管理する。ここで、ＵＥ１０は、Ｄ２Ｄ  ＴＦＴを生成し、Ｄ２Ｄ  ＲＢ  ＩＤと関連付けても良い。さらに、生成したＤ２Ｄ  ＴＦＴとアプリケーションを関連付けても良い。なお、ｅＮＢ２０からＲＲＣ再設定を受信し、ＵＥ−Ｒ１５がＰｒｏＳｅフラグを検知せず、ＵＥ−Ｒ１５とＵＥ１０間の直接通信路に対するＤ２Ｄ無線ベアラを更新することを検出しなかった場合、本処理は行わない。
【０２２４】
ＰｒｏＳｅ専用ベアラをＵＥ１０と生成したＵＥ−Ｒ１５は、ＲＲＣ設定完了通知を送信する（Ｓ１３２２）。さらにｅＮＢ２０は、ベアラ変更応答をＭＭＥ３０へ送信する（Ｓ１３２４）。ＭＭＥ３０はベアラ更新応答をＳＧＷ４０へ送信し、ベアラ更新応答を送信し（Ｓ１３２６）、ＳＧＷ４０はベアラ変更応答をＰＧＷ５０へ送信する（Ｓ１３２８）。なお、ＭＭＥ３０は、ＳＧＷ４０へ、ベアラ変更応答を送信するのではなく、ＰＧＷ５０へ直接、ベアラ変更応答を送信しても良い。
【０２２５】
ここで、ＭＭＥ３０は、ＳＧＷ４０からベアラ更新要求（Ｓ１３１４）を受信していない場合には、ベアラ更新応答を送信（Ｓ１３２６）しなくても良い。さらに、ＳＧＷ４０は、ＰＧＷ５０からベアラ更新要求（Ｓ１３１６）を受信していない場合には、ベアラ更新応答を送信（Ｓ１３２８）しなくても良い。
【０２２６】
以上の手続きにより、ＵＥ−Ｒ１５とＵＥ１０はＰｒｏＳｅ専用ベアラを生成することができる。専用ベアラは、ＱｏＳの確保が必要となるような特定のアプリケーションと関連付けて利用することにより、アプリケーションのパフォーマンスを向上することができる。また、ＵＥ−Ｒ１５はＵＥ１０からのデータを移動通信ネットワークへ転送する（ＵＥ−ｔｏ−ｎｅｔｗｏｒｋ  ｒｅｌａｙ）ことにより、ＵＥ１０はＵＥ−Ｒ１５経由で移動通信ネットワークに接続することができる。
【０２２７】
以上により、移動通信事業者は、通信元ＵＥおよび通信先ＵＥがＰｒｏＳｅにおける直接通信に対してＱｏＳを確保したデータの送受信を提供することができる。ＰＧＷ／ＳＧＷがＵＥ間の直接通信における（無線）ベアラを管理することができる。また、ｅＮＢがＵＥ間の直接通信における無線ベアラを管理することができる。さらに、通信元ＵＥ、通信先においてＵＥ間の直接通信における無線ベアラを管理することができる。また、ＵＥ−ｔｏ−Ｎｅｔｗｏｒｋリレーにおいて、リレーＵＥは、カバレッジ外のＵＥと無線ベアラを管理することができる。
【０２２８】
さらに、上記で説明したＰＧＷ／ＳＧＷ、ＭＭＥ、ｅＮＢ、通信元ＵＥ、通信先ＵＥ、リレーＵＥそれぞれにおいて、直接通信における（無線）ベアラを管理し、直接通信のベアラに対してＱｏＳを確保するための手続きを行うことができる。
【０２２９】
また、移動通信ネットワークは従来のデータの送受信を提供しつつ、なるべく少ない変更で、ＰｒｏＳｅにおける直接通信に対するＱｏＳを確保するための手続きを行うことができる。
【０２３０】
［３．１．２  変形例５］
なお、上記では、ＵＥ１０がカバレッジ外、ＵＥ−Ｒ１５がカバレッジ内の端末装置として説明したが、ＵＥ１０がカバレッジ内、ＵＥ−Ｒ１５がカバレッジ内の端末装置としても良い。
【０２３１】
さらに、ＵＥ１０がカバレッジ内、ＵＥ−Ｒ１５がカバレッジ内の場合、ｅＮＢ２０は、ＵＥ１０へＰｒｏＳｅフラグ、ＥＰＳ  ＲＢ  ＩＤ、ＱｏＳ、ＴＦＴを含むＲＲＣ再設定通知を送信しても良い（Ｓ１３１８）。一方、ＵＥ１０は、ｅＮＢ２０からＲＲＣ再設定通知を受信し、ＰｒｏＳｅフラグを検知したＵＥ１０は、ＵＥ−Ｒ１５とＵＥ１０間の直接通信路に対するＤ２Ｄ無線ベアラを更新することを検出する。ＵＥ−Ｒ１５とＵＥ１０間の直接通信路に対するＤ２Ｄ無線ベアラを更新することを検出したＵＥ１０は、ＵＥ−Ｒ１５とＰｒｏＳｅ専用ベアラを生成する（Ｓ１３２０）。なお、ＵＥ１０は、ＵＥ-Ｒ１５へＤ２Ｄ  ＲＢ  ＩＤとＤ２Ｄ  ＱｏＳを通知する。
【０２３２】
ここで、ｅＮＢ２０からＲＲＣ再設定を受信し、ＵＥ１０がＰｒｏＳｅフラグを検知せず、ｅＮＢ２０とＵＥ１０間の通信路に対するＥＰＳ無線ベアラを更新することを検出した場合、ｅＮＢ２０との通信路に対するＥＰＳ無線ベアラを更新することを検出し、ＵＥ１０はｅＮＢ２０とＥＰＳ無線ベアラを更新する従来の手続きを行う。
【０２３３】
ＵＥ１０は、ＵＥ１０とＵＥ−Ｒ１５間のＤ２Ｄ無線ベアラを更新するまたは、ｅＮＢ２０とＵＥ１０間の通信路に対するＥＰＳ無線ベアラを更新した場合、ＵＥ１０はｅＮＢ２０へＲＲＣ設定完了を通知する（Ｓ１３２２）。これ以外の手続きは、第３の実施形態で説明した方法と同様の手続きである。
【０２３４】
［３．１．３  変形例６］
さらに、以上の説明ではｅＮＢ２０はカバレッジ内に存在するＵＥ−Ｒ１５とＵＥ１０のいずれかにＲＲＣ再設定通知を送信していたが、ＵＥ１０へＰｒｏＳｅフラグ、ＥＰＳ  ＲＢ  ＩＤ、ＱｏＳ、ＴＦＴを含むＲＲＣ再設定通知を送信し、ＵＥ−Ｒ１５へＰｒｏＳｅフラグ、ＥＰＳ  ＲＢ  ＩＤ、ＱｏＳ、ＴＦＴを含むＲＲＣ再設定通知を送信してもよい（Ｓ１３１８）。ＵＥ１０は、ｅＮＢ２０からＲＲＣ再設定通知を受信し、ＰｒｏＳｅフラグを検知したＵＥ１０は、ＵＥ−Ｒ１５とＵＥ１０間の直接通信路に対するＤ２Ｄ無線ベアラを更新することを検出する。ＵＥ―Ｒ１５は、ｅＮＢ２０からＲＲＣ再設定通知を受信し、ＰｒｏＳｅフラグを検知したＵＥ―Ｒ１５は、ＵＥ−Ｒ１５とＵＥ１０間の直接通信路に対するＤ２Ｄ無線ベアラを更新することを検出する。
【０２３５】
ＵＥ−Ｒ１５とＵＥ１０間の直接通信路に対するＤ２Ｄ無線ベアラを更新することを検出したＵＥ１０とＵＥ−Ｒ１５は、ＰｒｏＳｅ専用ベアラを生成する（Ｓ１３２０）。なお、ＵＥ１０とＵＥ−Ｒ１５は、互いにＤ２Ｄ  ＲＢ  ＩＤとＤ２Ｄ  ＱｏＳを通知しても良い。
【０２３６】
ここで、ＵＥ１０は、ｅＮＢ２０からＲＲＣ再設定を受信し、ＵＥ１０がＰｒｏＳｅフラグを検知せず、ｅＮＢ２０とＵＥ１０間の通信路に対するＥＰＳ無線ベアラを更新することを検出した場合、ＵＥ１０はｅＮＢ２０とＥＰＳ無線ベアラを更新する従来の手続きを行う。また、ＵＥ−Ｒ１５は、ｅＮＢ２０からＲＲＣ再設定を受信し、ＵＥ―Ｒ１５がＰｒｏＳｅフラグを検知せず、ｅＮＢ２０とＵＥ―Ｒ１５間の通信路に対するＥＰＳ無線ベアラを更新することを検出した場合、ＵＥ―Ｒ１５はｅＮＢ２０とＥＰＳ無線ベアラを更新する従来の手続きを行う。
【０２３７】
ＵＥ１０は、ＵＥ１０とＵＥ−Ｒ１５間のＤ２Ｄ無線ベアラを更新するまたは、ｅＮＢ２０とＵＥ１０間の通信路に対するＥＰＳ無線ベアラを更新した場合、ＵＥ１０はｅＮＢ２０へＲＲＣ設定完了を通知する（Ｓ１３２２）。一方、ＵＥ―Ｒ１５は、ＵＥ１０とＵＥ−Ｒ１５間のＤ２Ｄ無線ベアラを更新するまたは、ｅＮＢ２０とＵＥ―Ｒ１５間の通信路に対するＥＰＳ無線ベアラを更新した場合、ＵＥ―Ｒ１５はｅＮＢ２０へＲＲＣ設定完了を通知する（Ｓ１３２２）。ｅＮＢ２０は、ＵＥ１０およびＵＥ−Ｒ１５からＲＲＣ設定完了通知を受信することで、ＵＥ１０とＵＥ−Ｒ１５間でＰｒｏＳｅ専用ベアラの生成または、ｅＮＢ２０とＵＥ−Ｒ１５間およびｅＮＢ２０とＵＥ１０間でＲＲＣ再設定が完了したことを検知する。これ以外の手続きは、第３の実施形態で説明した方法と同様の手続きである。
【０２３８】
[４．  第４実施形態]
続いて、第４実施形態について説明する。第４実施形態は、ＱｏＳ更新手続きが異なる。第１実施形態、第２実施形態では、ＰＧＷ５０主導でＱｏＳ更新手続きが開始され、第３実施形態では、ＨＳＳ６０主導でＱｏＳ更新手続きが開始されていたが、本実施形態では、ＰｒｏＳｅ  Ｓｅｒｖｅｒ（またはＰｒｏＳｅ  Ｆｕｎｃｔｉｏｎ）主導でＱｏＳ更新手続きを行う。
【０２３９】
［４．１  移動通信システムの概要］
図１８（ａ）に、本実施形態における移動通信システム２の構成を示す。図１８（ａ）では、ＰｒｏＳｅ  Ｓｅｒｖｅｒ９０がＰＤＮ８０に配置される構成である。なお、ＰｒｏＳｅ  Ｓｅｒｖｅｒ９０以外の構成は、第１実施形態、第２実施形態、第３実施形態と同様である。また、図１８（ｂ）に本実施形態における移動通信システム３を示す。図１８（ｂ）では、ＰｒｏＳｅ  Ｓｅｒｖｅｒ９０が移動通信ネットワーク５内に配置される構成である。なお、ＰｒｏＳｅ  Ｓｅｒｖｅｒ９０は、ＭＭＥ３０内の一機能として、ＰｒｏＳｅ  Ｆｕｎｃｔｉｏｎ９０としても良い。ＰｒｏＳｅ  Ｓｅｒｖｅｒ９０（またはＰｒｏＳｅ  Ｆｕｎｃｔｉｏｎ）以外の構成は、第１実施形態、第２実施形態、第３実施形態と同様である。本実施形態では、図１８（ａ）の構成、図１８（ｂ）の構成いずれも利用可能である。
【０２４０】
［４．２  装置構成］
続いて、ＰｒｏＳｅ  Ｓｅｒｖｅｒ９０の構成について図を用いて簡単に説明する。なお、ＵＥ１０、ＵＥ−Ｒ１５、ｅＮＢ２０、ＭＭＥ３０、ＳＧＷ４０、ＰＧＷ５０、ＨＳＳ６０、ＰＣＲＦ７０、ＰＤＮ８０は第１実施形態と同様の構成であるため、説明を省略する。
【０２４１】
[４．２．１  ＰｒｏＳｅ  Ｓｅｒｖｅｒの構成]
図１９にＰｒｏＳｅ  Ｓｅｒｖｅｒ９０の機能構成を示す。ＰｒｏＳｅ  Ｓｅｒｖｅｒ９０は、制御部９００に、移動通信ネットワークインタフェース部９１０と、記憶部９４０とがバスを介して接続されている。
【０２４２】
制御部９００は、ＰｒｏＳｅ  Ｓｅｒｖｅｒ９０を制御するための機能部である。制御部９００は、記憶部９４０に記憶されている各種プログラムを読みだして実行することにより各種処理を実現する。
【０２４３】
移動通信ネットワークインタフェース部９１０は、ＰｒｏＳｅ  Ｓｅｒｖｅｒ９０が移動通信ネットワークに接続するための機能部である。
【０２４４】
記憶部９４０は、ＰｒｏＳｅ  Ｓｅｒｖｅｒ９０の各種動作に必要なプログラム、データ等を記録する機能部である。記憶部９４０は、例えば、半導体メモリや、ＨＤＤ（Hard Disk Drive）等により構成される。さらに、記憶部９４０には、ＥＰＳベアラコンテキスト９４２が記憶されている。
【０２４５】
図２０に、ＥＰＳベアラコンテキスト９４２の例を示す。図２０では、ＥＰＳベアラコンテキスト９４２に、Ｄ２Ｄ  ＲＢ  ＩＤ、Ｄ２Ｄ  ＴＦＴ、Ｄ２Ｄ  ＱｏＳが含まれている。
【０２４６】
Ｄ２Ｄ  ＴＦＴは、アプリケーションや送信元ＵＥや送信先のＵＥ、ＰＧＷ５０に関する情報などと関連付けられ、アプリケーションや送信元ＵＥや送信先のＵＥの情報などに応じてどのベアラ（Ｄ２Ｄ  ＲＢ  ＩＤ）で直接通信を行うかを示す、直接通信路のコネクションを選択するための情報が管理されている。
【０２４７】
Ｄ２Ｄ  ＲＢ  ＩＤは、ＵＥ１０とＵＥ−Ｒ１５間の直接通信路におけるコネクションを識別する識別子である。ここで、Ｄ２Ｄ  ＲＢ  ＩＤは、Ｄ２Ｄ無線ベアラの識別子を記憶している。
【０２４８】
Ｄ２Ｄ  ＱｏＳは、Ｄ２Ｄ  ＲＢ  ＩＤ毎のＱｏＳを示している。ＰｒｏＳｅ  Ｓｅｒｖｅｒ９０は、ＵＥ１０とＵＥ―Ｒ１５間で、Ｄ２Ｄ  ＲＢ  ＩＤ毎に応じたＤ２Ｄ  ＱｏＳを管理する。
【０２４９】
図２０では、Ｄ２Ｄ  ＴＦＴがＵＥ  Ｃ、Ｄ２Ｄ  ＲＢ  ＩＤが１、Ｄ２Ｄ  ＱｏＳがＱＣＩ１となっており、ＵＥ１０またはＵＥ−Ｒ１５がＵＥ  Ｃと通信を行う場合には、Ｄ２Ｄ  ＲＢ  ＩＤに１が選択され、Ｄ２Ｄ  ＱＣＩ１でＵＥ１０とＵＥ−Ｒ１５がデータの送受信を行うことを管理している。
【０２５０】
一方、ＴＦＴがＵＥ  Ｄ、Ｄ２Ｄ  ＲＢ  ＩＤが２、Ｄ２Ｄ  ＱｏＳがＱＣＩ２と含まれており、ＵＥ１０またはＵＥ−Ｒ１５がＵＥ  Ｄとデータの送受信を行う場合には、Ｄ２Ｄ  ＲＢ  ＩＤに２が選択され、Ｄ２Ｄ  ＱＣＩ２でＵＥ１０とＵＥ−Ｒ１５がデータの送受信を行うことを管理している。ここで、ＴＦＴには、ＵＥ識別子が含まれているが、ＵＥに関する情報であれば良い。また、ＵＥに関する情報ではなく、アプリケーションに関する情報を含み、アプリケーションに応じてＴＦＴが選択されても良い。また、ＵＥに関する情報および、アプリケーションに関する情報を含めて、複合的にＴＦＴを選択しても良い。
【０２５１】
［４．３  処理の説明］
ＵＥ−ｔｏ−Ｎｅｔｗｏｒｋ  ＲｅｌａｙにおけるＰＤＮ接続確立手続きは同様に利用可能であるため、その詳細な説明を省略する。
【０２５２】
[４．３．１  ＱｏＳ更新手続き]
図２１を用いて、本実施形態におけるＱｏＳ更新手続きについて説明する。  まず、ＰｒｏＳｅ  Ｓｅｒｖｅｒ９０は、ＵＥ１０とＵＥ−Ｒ１５のＱｏＳの更新の必要性を検知して、ＭＭＥ３０へＵＥ−Ｒ１５およびＵＥ１０におけるＱｏＳ更新要求を送信する（Ｓ１４０２）。ＰｒｏＳｅ  Ｓｅｒｖｅｒ９０は、ＱｏＳ更新要求に、ＰｒｏＳｅフラグ、Ｄ２Ｄ  ＲＢ  ＩＤ、Ｄ２Ｄ  ＴＦＴ、Ｄ２Ｄ  ＱｏＳを含める。
【０２５３】
一方、ＭＭＥ３０はＰｒｏＳｅ  Ｓｅｒｖｅｒ９０からのＱｏＳ更新要求を受信し、ＰｒｏＳｅフラグを検知する。ＰｒｏＳｅフラグを検知したＭＭＥ３０は、ＵＥ１０およびＵＥ−Ｒ１５間のＱｏＳを更新することを検出する。また、ＭＭＥ３０は、Ｄ２Ｄ  ＲＢ  ＩＤ、Ｄ２Ｄ  ＴＦＴ、Ｄ２Ｄ  ＱｏＳを検出する。
【０２５４】
一方、ＭＭＥ３０は、ＱｏＳ更新応答返信する（Ｓ１４０４）。ＭＭＥ３０はＰｒｏＳｅ  Ｓｅｒｖｅｒ９０からの契約者データの挿入により、ＱｏＳ更新を開始する。
【０２５５】
以降の手続きは、第３実施形態で示したＳ１３０６からＳ１３２８の手続きと同様であるため、その説明は省略する。なお、ＭＭＥ３０は、ＰｒｏＳｅ  Ｓｅｒｖｅｒ９０からのＤ２Ｄ  ＲＢ  ＩＤをＥＰＳベアラＩＤ、Ｄ２Ｄ  ＴＦＴをＴＦＴ、Ｄ２Ｄ  ＱｏＳをＱｏＳとして利用する。さらに、ＭＭＥ３０は、ＰｒｏＳｅ  Ｓｅｒｖｅｒ９０からのＤ２Ｄ  ＲＢ  ＩＤとＥＰＳベアラＩＤのマッピング情報を管理し、Ｄ２Ｄ  ＴＦＴとＴＦＴのマッピング情報を管理し、Ｄ２Ｄ  ＱｏＳとＱｏＳのマッピング情報を管理しても良い。
【０２５６】
以上の手続きにより、ＵＥ−Ｒ１５とＵＥ１０はＰｒｏＳｅ専用ベアラを生成することができる。専用ベアラは、ＱｏＳの確保が必要となるような特定のアプリケーションと関連付けて利用することにより、アプリケーションのパフォーマンスを向上することができる。また、ＵＥ−Ｒ１５はＵＥ１０からのデータを移動通信ネットワークへ転送する（ＵＥ−ｔｏ−ｎｅｔｗｏｒｋ  ｒｅｌａｙ）ことにより、ＵＥ１０はＵＥ−Ｒ１５経由で移動通信ネットワークに接続することができる。
【０２５７】
以上により、移動通信事業者は、通信元ＵＥおよび通信先ＵＥがＰｒｏＳｅにおける直接通信に対してＱｏＳを確保したデータの送受信を提供することができる。ＰＧＷ／ＳＧＷがＵＥ間の直接通信における（無線）ベアラを管理することができる。また、ｅＮＢがＵＥ間の直接通信における無線ベアラを管理することができる。さらに、通信元ＵＥ、通信先においてＵＥ間の直接通信における無線ベアラを管理することができる。また、ＵＥ−ｔｏ−Ｎｅｔｗｏｒｋリレーにおいて、リレーＵＥは、カバレッジ外のＵＥと無線ベアラを管理することができる。
【０２５８】
さらに、上記で説明したＰＧＷ／ＳＧＷ、ＭＭＥ、ｅＮＢ、通信元ＵＥ、通信先ＵＥ、リレーＵＥそれぞれにおいて、直接通信における（無線）ベアラを管理し、直接通信のベアラに対してＱｏＳを確保するための手続きを行うことができる。
【０２５９】
また、移動通信ネットワークは従来のデータの送受信を提供しつつ、なるべく少ない変更で、ＰｒｏＳｅにおける直接通信に対するＱｏＳを確保するための手続きを行うことができる。
【０２６０】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０２６１】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０２６２】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２６３】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０２６４】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【符号の説明】
【０２６５】
１  移動通信システム
５  移動通信ネットワーク
７  コアネットワーク
９  アクセスネットワーク
１０  ＵＥ
１５  ＵＥ−Ｒ
２０  ｅＮＢ
３０  ＭＭＥ
４０  ＳＧＷ
５０  ＰＧＷ
６０  ＨＳＳ
７０  ＰＣＲＦ
８０  ＰＤＮ
９０  ＰｒｏＳｅサーバ
【図１】
2015068732.tif 000003
【図２】
2015068732.tif 000004
【図３】
2015068732.tif 000005
【図４】
2015068732.tif 000006
【図５】
2015068732.tif 000007
【図６】
2015068732.tif 000008
【図７】
2015068732.tif 000009
【図８】
2015068732.tif 000010
【図９】
2015068732.tif 000011
【図１０】
2015068732.tif 000012
【図１１】
2015068732.tif 000013
【図１２】
2015068732.tif 000014
【図１３】
2015068732.tif 000015
【図１４】
2015068732.tif 000016
【図１５】
2015068732.tif 000017
【図１６】
2015068732.tif 000018
【図１７】
2015068732.tif 000019
【図１８】
2015068732.tif 000020
【図１９】
2015068732.tif 000021
【図２０】
2015068732.tif 000022
【図２１】
2015068732.tif 000023
【国際調査報告】
2015068732.tif 000024
2015068732.tif 000025
2015068732.tif 000026